(57)【要約】【課題】コンテンツから算出される特徴量に基づいて他のコンテンツを取得する。【解決手段】特徴量演算部３４は、放送コンテンツの特徴量を算出する。データベース登録部３５は、特徴量演算部３４からの特徴量を、関連コンテンツの記憶部３３の格納アドレス情報および鍵情報生成部３１からの鍵情報と関連付けてデータベース３６に登録する。特徴量演算部５５は、アンテナ５１乃至使用部５４を介して生成された出力データから特徴量を算出する。関連コンテンツ情報取得部５６は、算出された特徴量に基づいて、配信装置１２から関連コンテンツの格納アドレス情報および鍵情報を取得する。関連コンテンツ取得部５８は、取得された格納アドレス情報に基づいて、配信装置１２から関連コンテンツを取得する。復号部５９は、関連コンテンツを鍵情報を用いて復号する。本発明は、テレビジョン放送の配信システムに適用することができる。【選択図】図２
2006041573.tif 000002
【特許請求の範囲】
【請求項１】
コンテンツを配信するコンテンツ配信装置、および、前記コンテンツを受信するコンテンツ受信装置からなるコンテンツ配信システムにおいて、
前記コンテンツ配信装置は、
前記コンテンツに関連する関連コンテンツを記憶する記憶手段と、
前記コンテンツから特徴量を算出する第１の算出手段と、
前記記憶手段に記憶されている前記関連コンテンツのアドレス情報、および前記算出手段により算出された前記特徴量を関連付けてデータベースに登録する登録手段と、
前記コンテンツを配信する第１の配信手段と、
前記コンテンツ受信装置からの第１の要求に応じて、前記登録手段により前記データベースに登録されている前記アドレス情報を検索し、配信する第２の配信手段と、
前記コンテンツ受信装置からの第２の要求に応じて、前記記憶手段に記憶されている前記関連コンテンツを検索し、配信する第３の配信手段と
を備え、
前記コンテンツ受信装置は、
前記コンテンツを受信する第１の受信手段と、
前記第１の受信手段により受信された前記コンテンツを出力する出力手段と、
前記出力手段により出力された前記コンテンツの特徴量を算出する第２の算出手段と、
前記第２の算出手段により算出された前記特徴量に基づいて、前記関連コンテンツの前記アドレス情報の配信を要求する第１の要求手段と、
前記第１の要求手段による要求に応じて配信されてきた前記アドレス情報を受信する第２の受信手段と、
前記第２の受信手段により受信された前記アドレス情報に基づいて、前記関連コンテンツの配信を要求する第２の要求手段と、
前記第２の要求手段による要求に応じて配信されてきた前記関連コンテンツを受信する第３の受信手段と
を備えることを特徴とするコンテンツ配信システム。
【請求項２】
コンテンツを配信するコンテンツ配信装置において、
前記コンテンツに関連する関連コンテンツを記憶する記憶手段と、
前記コンテンツから特徴量を算出する算出手段と、
前記記憶手段に記憶されている前記関連コンテンツのアドレス情報、および前記算出手段により算出された前記特徴量を関連付けてデータベースに登録する登録手段と、
前記コンテンツを配信する第１の配信手段と、
コンテンツ受信装置からの第１の要求に応じて、前記登録手段により前記データベースに登録されている前記アドレス情報を検索し、配信する第２の配信手段と、
前記コンテンツ受信装置からの第２の要求に応じて、前記記憶手段に記憶されている前記関連コンテンツを検索し、配信する第３の配信手段と
を備えることを特徴とするコンテンツ配信装置。
【請求項３】
前記関連コンテンツを暗号化する鍵情報を生成する生成手段と、
前記生成手段により生成された前記鍵情報に基づいて、前記関連コンテンツを暗号化する暗号化手段と
をさらに備え、
前記記憶手段は、前記暗号化手段により暗号化された前記関連コンテンツを記憶する
ことを特徴とする請求項２に記載のコンテンツ配信装置。
【請求項４】
前記登録手段は、前記生成手段により生成された前記鍵情報を、前記アドレス情報および前記特徴量に関連付けて前記データベースにさらに登録し、
前記第２の配信手段は、前記データベースに登録されている前記鍵情報をさらに配信する
ことを特徴とする請求項３に記載のコンテンツ配信装置。
【請求項５】
前記コンテンツ受信装置と認証処理を行う認証手段をさらに備え、
前記認証手段により認証された場合、前記第２の配信手段は、前記第１の要求に含まれる特徴量に応じた前記アドレス情報を検索し、配信する
ことを特徴とする請求項２に記載のコンテンツ配信装置。
【請求項６】
前記第３の配信手段は、前記第２の要求に含まれるアドレス情報に応じた前記関連コンテンツを検索し、配信する
ことを特徴とする請求項２に記載のコンテンツ配信装置。
【請求項７】
前記コンテンツには、少なくとも広告情報が含まれ、
前記算出手段は、前記広告情報から特徴量を算出する
ことを特徴とする請求項２に記載のコンテンツ配信装置。
【請求項８】
コンテンツを配信するコンテンツ配信装置のコンテンツ配信方法において、
前記コンテンツに関連する関連コンテンツを記憶する記憶ステップと、
前記コンテンツから特徴量を算出する算出ステップと、
前記記憶ステップの処理により記憶された前記関連コンテンツのアドレス情報、および前記算出ステップの処理により算出された前記特徴量を関連付けてデータベースに登録する登録ステップと、
前記コンテンツを配信する第１の配信ステップと、
コンテンツ受信装置からの第１の要求に応じて、前記登録ステップの処理により前記データベースに登録されている前記アドレス情報を検索し、配信する第２の配信ステップと、
前記コンテンツ受信装置からの第２の要求に応じて、前記記憶ステップの処理により記憶されている前記関連コンテンツを検索し、配信する第３の配信ステップと
を含むことを特徴とするコンテンツ配信方法。
【請求項９】
コンテンツを配信するコンテンツ配信装置のコンテンツ配信処理を、コンピュータに行わせるプログラムにおいて、
前記コンテンツに関連する関連コンテンツを記憶する記憶ステップと、
前記コンテンツから特徴量を算出する算出ステップと、
前記記憶ステップの処理により記憶された前記関連コンテンツのアドレス情報、および前記算出ステップの処理により算出された前記特徴量を関連付けてデータベースに登録する登録ステップと、
前記コンテンツを配信する第１の配信ステップと、
コンテンツ受信装置からの第１の要求に応じて、前記登録ステップの処理により前記データベースに登録されている前記アドレス情報を検索し、配信する第２の配信ステップと、
前記コンテンツ受信装置からの第２の要求に応じて、前記記憶ステップの処理により記憶されている前記関連コンテンツを検索し、配信する第３の配信ステップと
を含むことを特徴とするコンピュータが読み取り可能なプログラムが記録されている記録媒体。
【請求項１０】
コンテンツを配信するコンテンツ配信装置のコンテンツ配信処理を、コンピュータに行わせるプログラムにおいて、
前記コンテンツに関連する関連コンテンツを記憶する記憶ステップと、
前記コンテンツから特徴量を算出する算出ステップと、
前記記憶ステップの処理により記憶された前記関連コンテンツのアドレス情報、および前記算出ステップの処理により算出された前記特徴量を関連付けてデータベースに登録する登録ステップと、
前記コンテンツを配信する第１の配信ステップと、
コンテンツ受信装置からの第１の要求に応じて、前記登録ステップの処理により前記データベースに登録されている前記アドレス情報を検索し、配信する第２の配信ステップと、
前記コンテンツ受信装置からの第２の要求に応じて、前記記憶ステップの処理により記憶されている前記関連コンテンツを検索し、配信する第３の配信ステップと
をコンピュータに実行させることを特徴とするプログラム。
【請求項１１】
コンテンツを受信するコンテンツ受信装置において、
コンテンツ配信装置より配信されてくる前記コンテンツを受信する第１の受信手段と、
前記第１の受信手段により受信された前記コンテンツを出力する出力手段と、
前記出力手段により出力された前記コンテンツの特徴量を算出する算出手段と、
前記算出手段により算出された前記特徴量に基づいて、前記コンテンツ配信装置に対し、前記コンテンツに関連する関連コンテンツのアドレス情報の配信を要求する第１の要求手段と、
前記第１の要求手段による要求に応じて配信されてきた前記アドレス情報を受信する第２の受信手段と、
前記第２の受信手段により受信された前記アドレス情報に基づいて、前記コンテンツ配信装置に対し、前記関連コンテンツの配信を要求する第２の要求手段と、
前記第２の要求手段による要求に応じて配信されてきた前記関連コンテンツを受信する第３の受信手段と
を備えることを特徴とするコンテンツ受信装置。
【請求項１２】
前記第２の受信手段は、前記関連コンテンツを復号する鍵情報をさらに受信し、
前記第３の受信手段は、暗号化された前記関連コンテンツを受信し、
前記第３の受信手段により受信された暗号化された前記関連コンテンツを、前記第２の受信手段により受信された前記鍵情報に基づいて復号する復号手段をさらに備える
ことを特徴とする請求項１１に記載のコンテンツ受信装置。
【請求項１３】
前記コンテンツ配信装置と認証処理を行う認証手段をさらに備え、
前記認証手段により認証された場合、前記第２の受信手段は、前記第１の要求手段による要求に応じて配信されてきた前記アドレス情報を受信する
ことを特徴とする請求項１１に記載のコンテンツ受信装置。
【請求項１４】
前記出力手段により出力された前記コンテンツ、および、前記第３の受信手段により受信された前記関連コンテンツを合成する合成手段をさらに備える
ことを特徴とする請求項１１に記載のコンテンツ受信装置。
【請求項１５】
前記第１の受信手段により受信された前記コンテンツ、および、前記第３の受信手段により受信された前記関連コンテンツを記録する記録手段と、
前記記録手段に記録されている前記コンテンツを再生する再生手段と
をさらに備え、
前記算出手段は、前記再生手段により再生された前記コンテンツの特徴量を算出し、
前記第１の要求手段は、前記算出手段により算出された前記特徴量に基づいて、前記アドレス情報の配信を要求し、
前記第２の受信手段は、前記第１の要求手段による要求に応じて配信されてきた前記アドレス情報を受信し、
前記第２の要求手段は、前記第２の受信手段により受信された前記アドレス情報に基づいて、前記関連コンテンツの配信を要求し、
前記第３の受信手段は、前記第２の要求手段による要求に応じて配信されてきた前記関連コンテンツを受信する
ことを特徴とする請求項１１に記載のコンテンツ受信装置。
【請求項１６】
前記再生手段により再生された前記コンテンツ、および、前記第３の受信手段により受信された前記関連コンテンツを合成する合成手段をさらに備える
ことを特徴とする請求項１５に記載のコンテンツ受信装置。
【請求項１７】
前記記録手段に、前記特徴量に対応する関連コンテンツが既に記録されているか否かを判定する判定手段をさらに備え、
前記判定手段により、前記関連コンテンツが既に記録されていると判定された場合、前記第１の要求手段は、前記アドレス情報の配信要求を行わない
ことを特徴とする請求項１５に記載のコンテンツ受信装置。
【請求項１８】
前記判定手段は、前記特徴量に対応する関連コンテンツが既に記録されていると判定した場合、既に記録されている前記関連コンテンツより、新しい関連コンテンツを取得することが可能であるか否かをさらに判定する
ことを特徴とする請求項１７に記載のコンテンツ受信装置。
【請求項１９】
前記判定手段により、前記新しい関連コンテンツを取得することが可能であると判定された場合、前記第１の要求手段は、前記特徴量に基づいて、前記新しい関連コンテンツのアドレス情報の配信を要求し、
前記第２の受信手段は、前記第１の要求手段による要求に応じて配信されてきた前記新しい関連コンテンツのアドレス情報を受信し、
前記第２の要求手段は、前記新しい関連コンテンツのアドレス情報に基づいて、前記新しい関連コンテンツの配信を要求し、
前記第３の受信手段は、前記第２の要求手段による要求に応じて配信されてきた前記新しい関連コンテンツを受信し、
前記記録手段は、既に記録されている前記関連コンテンツから、前記第３の受信手段により受信された前記新しい関連コンテンツに更新する
ことを特徴とする請求項１８に記載のコンテンツ受信装置。
【請求項２０】
前記コンテンツには、少なくとも広告情報が含まれ、
前記算出手段は、前記広告情報から特徴量を算出する
ことを特徴とする請求項１１に記載のコンテンツ受信装置。
【請求項２１】
コンテンツを受信するコンテンツ受信装置のコンテンツ受信方法において、
コンテンツ配信装置より配信されてくる前記コンテンツを受信する第１の受信ステップと、
前記第１の受信ステップの処理により受信された前記コンテンツを出力する出力ステップと、
前記出力ステップの処理により出力された前記コンテンツの特徴量を算出する算出ステップと、
前記算出ステップの処理により算出された前記特徴量に基づいて、前記コンテンツ配信装置に対し、前記コンテンツに関連する関連コンテンツのアドレス情報の配信を要求する第１の要求ステップと、
前記第１の要求ステップの処理による要求に応じて配信されてきた前記アドレス情報を受信する第２の受信ステップと、
前記第２の受信ステップの処理により受信された前記アドレス情報に基づいて、前記コンテンツ配信装置に対し、前記関連コンテンツの配信を要求する第２の要求ステップと、
前記第２の要求ステップの処理による要求に応じて配信されてきた前記関連コンテンツを受信する第３の受信ステップと
を含むことを特徴とするコンテンツ受信方法。
【請求項２２】
コンテンツを受信するコンテンツ受信装置のコンテンツ受信処理を、コンピュータに行わせるプログラムにおいて、
コンテンツ配信装置より配信されてくる前記コンテンツを受信する第１の受信ステップと、
前記第１の受信ステップの処理により受信された前記コンテンツを出力する出力ステップと、
前記出力ステップの処理により出力された前記コンテンツの特徴量を算出する算出ステップと、
前記算出ステップの処理により算出された前記特徴量に基づいて、前記コンテンツ配信装置に対し、前記コンテンツに関連する関連コンテンツのアドレス情報の配信を要求する第１の要求ステップと、
前記第１の要求ステップの処理による要求に応じて配信されてきた前記アドレス情報を受信する第２の受信ステップと、
前記第２の受信ステップの処理により受信された前記アドレス情報に基づいて、前記コンテンツ配信装置に対し、前記関連コンテンツの配信を要求する第２の要求ステップと、
前記第２の要求ステップの処理による要求に応じて配信されてきた前記関連コンテンツを受信する第３の受信ステップと
を含むことを特徴とするコンピュータが読み取り可能なプログラムが記録されている記録媒体。
【請求項２３】
コンテンツを受信するコンテンツ受信装置のコンテンツ受信処理を、コンピュータに行わせるプログラムにおいて、
コンテンツ配信装置より配信されてくる前記コンテンツを受信する第１の受信ステップと、
前記第１の受信ステップの処理により受信された前記コンテンツを出力する出力ステップと、
前記出力ステップの処理により出力された前記コンテンツの特徴量を算出する算出ステップと、
前記算出ステップの処理により算出された前記特徴量に基づいて、前記コンテンツ配信装置に対し、前記コンテンツに関連する関連コンテンツのアドレス情報の配信を要求する第１の要求ステップと、
前記第１の要求ステップの処理による要求に応じて配信されてきた前記アドレス情報を受信する第２の受信ステップと、
前記第２の受信ステップの処理により受信された前記アドレス情報に基づいて、前記コンテンツ配信装置に対し、前記関連コンテンツの配信を要求する第２の要求ステップと、
前記第２の要求ステップの処理による要求に応じて配信されてきた前記関連コンテンツを受信する第３の受信ステップと
をコンピュータに実行させることを特徴とするプログラム。
【請求項２４】
記録メディアに記録されているコンテンツを再生するコンテンツ再生装置において、
前記記録メディアに記録されている前記コンテンツを読み出す読み出し手段と、
前記読み出し手段により読み出された前記コンテンツを出力する出力手段と、
前記出力手段により出力された前記コンテンツの特徴量を算出する算出手段と、
前記算出手段により算出された前記特徴量に基づいて、コンテンツ配信装置に対し、前記コンテンツに関連する関連コンテンツのアドレス情報の配信を要求する第１の要求手段と、
前記第１の要求手段による要求に応じて配信されてきた前記アドレス情報を受信する第２の受信手段と、
前記第２の受信手段により受信された前記アドレス情報に基づいて、前記コンテンツ配信装置に対し、前記関連コンテンツの配信を要求する第２の要求手段と、
前記第２の要求手段による要求に応じて配信されてきた前記関連コンテンツを受信する第３の受信手段と
を備えることを特徴とするコンテンツ再生装置。
【請求項２５】
前記第２の受信手段は、前記関連コンテンツを復号する鍵情報をさらに受信し、
前記第３の受信手段は、暗号化された前記関連コンテンツを受信し、
前記第３の受信手段により受信された暗号化された前記関連コンテンツを、前記第２の受信手段により受信された前記鍵情報に基づいて復号する復号手段をさらに備える
ことを特徴とする請求項２４に記載のコンテンツ再生装置。
【請求項２６】
前記コンテンツ配信装置と認証処理を行う認証手段をさらに備え、
前記認証手段により認証された場合、前記第２の受信手段は、前記第１の要求手段による要求に応じて配信されてきた前記アドレス情報を受信する
ことを特徴とする請求項２４に記載のコンテンツ再生装置。
【請求項２７】
前記出力手段により出力された前記コンテンツ、および、前記第３の受信手段により受信された前記関連コンテンツを合成する合成手段をさらに備える
ことを特徴とする請求項２４に記載のコンテンツ再生装置。
【請求項２８】
前記コンテンツには、少なくとも広告情報が含まれ、
前記算出手段は、前記広告情報から特徴量を算出する
ことを特徴とする請求項２４に記載のコンテンツ再生装置。
【請求項２９】
記録メディアに記録されているコンテンツを再生するコンテンツ再生装置のコンテンツ再生方法において、
前記記録メディアに記録されている前記コンテンツを読み出す読み出しステップと、
前記読み出しステップの処理により読み出された前記コンテンツを出力する出力ステップと、
前記出力ステップの処理により出力された前記コンテンツの特徴量を算出する算出ステップと、
前記算出ステップの処理により算出された前記特徴量に基づいて、コンテンツ配信装置に対し、前記コンテンツに関連する関連コンテンツのアドレス情報の配信を要求する第１の要求ステップと、
前記第１の要求ステップの処理による要求に応じて配信されてきた前記アドレス情報を受信する第２の受信ステップと、
前記第２の受信ステップの処理により受信された前記アドレス情報に基づいて、前記コンテンツ配信装置に対し、前記関連コンテンツの配信を要求する第２の要求ステップと、
前記第２の要求ステップの処理による要求に応じて配信されてきた前記関連コンテンツを受信する第３の受信ステップと
を含むことを特徴とするコンテンツ再生方法。
【請求項３０】
記録メディアに記録されているコンテンツを再生するコンテンツ再生装置のコンテンツ再生処理を、コンピュータに行わせるプログラムにおいて、
前記記録メディアに記録されている前記コンテンツを読み出す読み出しステップと、
前記読み出しステップの処理により読み出された前記コンテンツを出力する出力ステップと、
前記出力ステップの処理により出力された前記コンテンツの特徴量を算出する算出ステップと、
前記算出ステップの処理により算出された前記特徴量に基づいて、コンテンツ配信装置に対し、前記コンテンツに関連する関連コンテンツのアドレス情報の配信を要求する第１の要求ステップと、
前記第１の要求ステップの処理による要求に応じて配信されてきた前記アドレス情報を受信する第２の受信ステップと、
前記第２の受信ステップの処理により受信された前記アドレス情報に基づいて、前記コンテンツ配信装置に対し、前記関連コンテンツの配信を要求する第２の要求ステップと、
前記第２の要求ステップの処理による要求に応じて配信されてきた前記関連コンテンツを受信する第３の受信ステップと
を含むことを特徴とするコンピュータが読み取り可能なプログラムが記録されている記録媒体。
【請求項３１】
記録メディアに記録されているコンテンツを再生するコンテンツ再生装置のコンテンツ再生処理を、コンピュータに行わせるプログラムにおいて、
前記記録メディアに記録されている前記コンテンツを読み出す読み出しステップと、
前記読み出しステップの処理により読み出された前記コンテンツを出力する出力ステップと、
前記出力ステップの処理により出力された前記コンテンツの特徴量を算出する算出ステップと、
前記算出ステップの処理により算出された前記特徴量に基づいて、コンテンツ配信装置に対し、前記コンテンツに関連する関連コンテンツのアドレス情報の配信を要求する第１の要求ステップと、
前記第１の要求ステップの処理による要求に応じて配信されてきた前記アドレス情報を受信する第２の受信ステップと、
前記第２の受信ステップの処理により受信された前記アドレス情報に基づいて、前記コンテンツ配信装置に対し、前記関連コンテンツの配信を要求する第２の要求ステップと、
前記第２の要求ステップの処理による要求に応じて配信されてきた前記関連コンテンツを受信する第３の受信ステップと
をコンピュータに実行させることを特徴とするプログラム。
【発明の詳細な説明】
【技術分野】
【０００１】
本発明は、コンテンツ配信システム、コンテンツ配信装置および方法、コンテンツ受信装置および方法、コンテンツ再生装置および方法、記録媒体、並びにプログラムに関し、特に、例えば、コンテンツの特徴量抽出を行い、抽出された特徴量に基づいて、関連コンテンツを取得するための情報を取得し、その情報に基づいて、関連コンテンツを取得することができるようにしたコンテンツ配信システム、コンテンツ配信装置および方法、コンテンツ受信装置および方法、コンテンツ再生装置および方法、記録媒体、並びにプログラムに関する。
【背景技術】
【０００２】
従来、テレビジョン放送を無料で配信している放送事業者においては、視聴者から視聴料を徴収しているのではなく、広告主（スポンサ）からの広告収入を得ることにより、コンテンツ（いわゆる番組）が制作され、運営されている。また、広告主にとっても、テレビジョン放送は、最大の広告メディアであり、不特定多数の視聴者に対して大きな広告効果が見込める。
【０００３】
一般に、視聴率が高いコンテンツほど広告主から制作費が投入されるため、放送事業者は、質の高いコンテンツを制作することができる。これは、視聴率が高い番組ほど、多数の視聴者がCM（Commercial）を見ているという前提に基づいているものである。換言すれば、CMを見ている視聴者が多い番組ほど、コンテンツ制作費を投入することができる。
【０００４】
ところで、視聴者は、必ずしもリアルタイムで番組を視聴しているわけではなく、ビデオテープに録画した番組を自分の好きな時間に再生させ、視聴している場合もある。しかしながら、番組を、ビデオテープに録画して見ている視聴者より、リアルタイムで見ている視聴者の方が圧倒的に多く、仮に、ビデオテープに録画している視聴者でも、CMをスキップしている人は少ないと考えられていた。これは、ビデオテープの場合、CMをスキップするなどのランダム再生が困難であったためである。
【０００５】
以上のことから、今までは、リアルタイムで番組を見ている視聴者の視聴率のみを考慮してスポンサ料を算出し、それを徴収することで、コンテンツの制作を行うことができた。
【０００６】
近年、HDD（ハードディスクドライブ）レコーダの登場により、番組の視聴有無に拘わらず番組を録画しておき、リアルタイムで視聴するより、番組を録画し、再生して視聴するユーザが増えてきた。また、CMをスキップする操作が比較的容易になってきたため、CMを視聴するユーザが減ってきた。そのため、CMの有効性を懸念することとなり、広告主の番組離れの一因となっている。すなわち、スポンサ離れにより、コンテンツ制作費が減少し、コンテンツの質および量の低下を誘発しかねない状況に陥りつつある。
【０００７】
そこで、例えば、視聴者が意欲的にCMを視聴し、スポンサの宣伝効果を高めることができるようにするために、視聴者がCMを視聴することによりCMポイントが蓄積され、蓄積されたCMポイントに応じて、スポンサからサービスを受けることができるようにしているものがある（例えば、特許文献１参照）。
【０００８】
【特許文献１】特開２００３−４６９８６号公報
【発明の開示】
【発明が解決しようとする課題】
【０００９】
しかしながら、特許文献１の技術では、スポンサが、CMポイントに応じた新たなサービスを提供する必要があり、スポンサ側の負担が大きくなる課題があった。
【００１０】
また、ポイント蓄積という手段によりCMを強制的に視聴させるのではなく、視聴されたコンテンツおよびCMの特徴量から、新たなコンテンツ（例えば、番組のプレゼント情報など）を取得することができるようなシステムは考えられていなかった。
【００１１】
本発明はこのような状況に鑑みてなされたものであり、視聴されたコンテンツおよびCMの特徴量に基づいて、新たなコンテンツを取得することができるようなシステムを提供するものである。
【課題を解決するための手段】
【００１２】
本発明のコンテンツ配信システムは、コンテンツ配信装置が、コンテンツに関連する関連コンテンツを記憶する記憶手段と、コンテンツから特徴量を算出する第１の算出手段と、記憶手段に記憶されている関連コンテンツのアドレス情報、および算出手段により算出された特徴量を関連付けてデータベースに登録する登録手段と、コンテンツを配信する第１の配信手段と、コンテンツ受信装置からの第１の要求に応じて、登録手段によりデータベースに登録されているアドレス情報を検索し、配信する第２の配信手段と、コンテンツ受信装置からの第２の要求に応じて、記憶手段に記憶されている関連コンテンツを検索し、配信する第３の配信手段とを備え、コンテンツ受信装置が、コンテンツを受信する第１の受信手段と、第１の受信手段により受信されたコンテンツを出力する出力手段と、出力手段により出力されたコンテンツの特徴量を算出する第２の算出手段と、第２の算出手段により算出された特徴量に基づいて、関連コンテンツのアドレス情報の配信を要求する第１の要求手段と、第１の要求手段による要求に応じて配信されてきたアドレス情報を受信する第２の受信手段と、第２の受信手段により受信されたアドレス情報に基づいて、関連コンテンツの配信を要求する第２の要求手段と、第２の要求手段による要求に応じて配信されてきた関連コンテンツを受信する第３の受信手段とを備えることを特徴とする。
【００１３】
本発明のコンテンツ配信装置は、コンテンツに関連する関連コンテンツを記憶する記憶手段と、コンテンツから特徴量を算出する算出手段と、記憶手段に記憶されている関連コンテンツのアドレス情報、および算出手段により算出された特徴量を関連付けてデータベースに登録する登録手段と、コンテンツを配信する第１の配信手段と、コンテンツ受信装置からの第１の要求に応じて、登録手段によりデータベースに登録されているアドレス情報を検索し、配信する第２の配信手段と、コンテンツ受信装置からの第２の要求に応じて、記憶手段に記憶されている関連コンテンツを検索し、配信する第３の配信手段とを備えることを特徴とする。
【００１４】
前記関連コンテンツを暗号化する鍵情報を生成する生成手段と、生成手段により生成された鍵情報に基づいて、関連コンテンツを暗号化する暗号化手段とをさらに設けるようにすることができ、記憶手段は、暗号化手段により暗号化された関連コンテンツを記憶するようにすることができる。
【００１５】
前記登録手段は、生成手段により生成された鍵情報を、アドレス情報および特徴量に関連付けてデータベースにさらに登録し、第２の配信手段は、データベースに登録されている鍵情報をさらに配信するようにすることができる。
【００１６】
前記コンテンツ受信装置と認証処理を行う認証手段をさらに設けるようにすることができ、認証手段により認証された場合、第２の配信手段は、第１の要求に含まれる特徴量に応じたアドレス情報を検索し、配信するようにすることができる。
【００１７】
前記第３の配信手段は、第２の要求に含まれるアドレス情報に応じた関連コンテンツを検索し、配信するようにすることができる。
【００１８】
前記コンテンツには、少なくとも広告情報が含まれ、算出手段は、広告情報から特徴量を算出するようにすることができる。
【００１９】
本発明のコンテンツ配信方法は、コンテンツに関連する関連コンテンツを記憶する記憶ステップと、コンテンツから特徴量を算出する算出ステップと、記憶ステップの処理により記憶された関連コンテンツのアドレス情報、および算出ステップの処理により算出された特徴量を関連付けてデータベースに登録する登録ステップと、コンテンツを配信する第１の配信ステップと、コンテンツ受信装置からの第１の要求に応じて、登録ステップの処理によりデータベースに登録されているアドレス情報を検索し、配信する第２の配信ステップと、コンテンツ受信装置からの第２の要求に応じて、記憶ステップの処理により記憶されている関連コンテンツを検索し、配信する第３の配信ステップとを含むことを特徴とする。
【００２０】
本発明の第１の記録媒体に記録されているプログラムは、コンテンツに関連する関連コンテンツを記憶する記憶ステップと、コンテンツから特徴量を算出する算出ステップと、記憶ステップの処理により記憶された関連コンテンツのアドレス情報、および算出ステップの処理により算出された特徴量を関連付けてデータベースに登録する登録ステップと、コンテンツを配信する第１の配信ステップと、コンテンツ受信装置からの第１の要求に応じて、登録ステップの処理によりデータベースに登録されているアドレス情報を検索し、配信する第２の配信ステップと、コンテンツ受信装置からの第２の要求に応じて、記憶ステップの処理により記憶されている関連コンテンツを検索し、配信する第３の配信ステップとを含む処理をコンピュータに行わせることを特徴とする。
【００２１】
本発明の第１のプログラムは、コンテンツに関連する関連コンテンツを記憶する記憶ステップと、コンテンツから特徴量を算出する算出ステップと、記憶ステップの処理により記憶された関連コンテンツのアドレス情報、および算出ステップの処理により算出された特徴量を関連付けてデータベースに登録する登録ステップと、コンテンツを配信する第１の配信ステップと、コンテンツ受信装置からの第１の要求に応じて、登録ステップの処理によりデータベースに登録されているアドレス情報を検索し、配信する第２の配信ステップと、コンテンツ受信装置からの第２の要求に応じて、記憶ステップの処理により記憶されている関連コンテンツを検索し、配信する第３の配信ステップとを含む処理をコンピュータに行わせることを特徴とする。
【００２２】
本発明のコンテンツ受信装置は、コンテンツ配信装置より配信されてくるコンテンツを受信する第１の受信手段と、第１の受信手段により受信されたコンテンツを出力する出力手段と、出力手段により出力されたコンテンツの特徴量を算出する算出手段と、算出手段により算出された特徴量に基づいて、コンテンツ配信装置に対し、コンテンツに関連する関連コンテンツのアドレス情報の配信を要求する第１の要求手段と、第１の要求手段による要求に応じて配信されてきたアドレス情報を受信する第２の受信手段と、第２の受信手段により受信されたアドレス情報に基づいて、コンテンツ配信装置に対し、関連コンテンツの配信を要求する第２の要求手段と、第２の要求手段による要求に応じて配信されてきた関連コンテンツを受信する第３の受信手段とを備えることを特徴とする。
【００２３】
前記第２の受信手段は、関連コンテンツを復号する鍵情報をさらに受信し、第３の受信手段は、暗号化された関連コンテンツを受信し、第３の受信手段により受信された暗号化された関連コンテンツを、第２の受信手段により受信された鍵情報に基づいて復号する復号手段をさらに設けるようにすることができる。
【００２４】
前記コンテンツ配信装置と認証処理を行う認証手段をさらに設けるようにすることができ、認証手段により認証された場合、第２の受信手段は、第１の要求手段による要求に応じて配信されてきたアドレス情報を受信するようにすることができる。
【００２５】
前記出力手段により出力されたコンテンツ、および、第３の受信手段により受信された関連コンテンツを合成する合成手段をさらに設けるようにすることができる。
【００２６】
前記第１の受信手段により受信されたコンテンツ、および、第３の受信手段により受信された関連コンテンツを記録する記録手段と、記録手段に記録されているコンテンツを再生する再生手段とをさらに設けるようにすることができ、算出手段は、再生手段により再生されたコンテンツの特徴量を算出し、第１の要求手段は、算出手段により算出された特徴量に基づいて、アドレス情報の配信を要求し、第２の受信手段は、第１の要求手段による要求に応じて配信されてきたアドレス情報を受信し、第２の要求手段は、第２の受信手段により受信されたアドレス情報に基づいて、関連コンテンツの配信を要求し、第３の受信手段は、第２の要求手段による要求に応じて配信されてきた関連コンテンツを受信するようにすることができる。
【００２７】
前記再生手段により再生されたコンテンツ、および、第３の受信手段により受信された関連コンテンツを合成する合成手段をさらに設けるようにすることができる。
【００２８】
前記記録手段に、特徴量に対応する関連コンテンツが既に記録されているか否かを判定する判定手段をさらに設けるようにすることができ、判定手段により、関連コンテンツが既に記録されていると判定された場合、第１の要求手段は、アドレス情報の配信要求を行わないようにすることができる。
【００２９】
前記判定手段は、特徴量に対応する関連コンテンツが既に記録されていると判定した場合、既に記録されている関連コンテンツより、新しい関連コンテンツを取得することが可能であるか否かをさらに判定するようにすることができる。
【００３０】
前記判定手段により、新しい関連コンテンツを取得することが可能であると判定された場合、第１の要求手段は、特徴量に基づいて、新しい関連コンテンツのアドレス情報の配信を要求し、第２の受信手段は、第１の要求手段による要求に応じて配信されてきた新しい関連コンテンツのアドレス情報を受信し、第２の要求手段は、新しい関連コンテンツのアドレス情報に基づいて、新しい関連コンテンツの配信を要求し、第３の受信手段は、第２の要求手段による要求に応じて配信されてきた新しい関連コンテンツを受信し、記録手段は、既に記録されている関連コンテンツから、第３の受信手段により受信された新しい関連コンテンツに更新するようにすることができる。
【００３１】
前記コンテンツには、少なくとも広告情報が含まれ、算出手段は、広告情報から特徴量を算出するようにすることができる。
【００３２】
本発明のコンテンツ受信方法は、コンテンツ配信装置より配信されてくるコンテンツを受信する第１の受信ステップと、第１の受信ステップの処理により受信されたコンテンツを出力する出力ステップと、出力ステップの処理により出力されたコンテンツの特徴量を算出する算出ステップと、算出ステップの処理により算出された特徴量に基づいて、コンテンツ配信装置に対し、コンテンツに関連する関連コンテンツのアドレス情報の配信を要求する第１の要求ステップと、第１の要求ステップの処理による要求に応じて配信されてきたアドレス情報を受信する第２の受信ステップと、第２の受信ステップの処理により受信されたアドレス情報に基づいて、コンテンツ配信装置に対し、関連コンテンツの配信を要求する第２の要求ステップと、第２の要求ステップの処理による要求に応じて配信されてきた関連コンテンツを受信する第３の受信ステップとを含むことを特徴とする。
【００３３】
本発明の第２の記録媒体に記録されているプログラムは、コンテンツ配信装置より配信されてくるコンテンツを受信する第１の受信ステップと、第１の受信ステップの処理により受信されたコンテンツを出力する出力ステップと、出力ステップの処理により出力されたコンテンツの特徴量を算出する算出ステップと、算出ステップの処理により算出された特徴量に基づいて、コンテンツ配信装置に対し、コンテンツに関連する関連コンテンツのアドレス情報の配信を要求する第１の要求ステップと、第１の要求ステップの処理による要求に応じて配信されてきたアドレス情報を受信する第２の受信ステップと、第２の受信ステップの処理により受信されたアドレス情報に基づいて、コンテンツ配信装置に対し、関連コンテンツの配信を要求する第２の要求ステップと、第２の要求ステップの処理による要求に応じて配信されてきた関連コンテンツを受信する第３の受信ステップとを含む処理をコンピュータに行わせることを特徴とする。
【００３４】
本発明の第２のプログラムは、コンテンツ配信装置より配信されてくるコンテンツを受信する第１の受信ステップと、第１の受信ステップの処理により受信されたコンテンツを出力する出力ステップと、出力ステップの処理により出力されたコンテンツの特徴量を算出する算出ステップと、算出ステップの処理により算出された特徴量に基づいて、コンテンツ配信装置に対し、コンテンツに関連する関連コンテンツのアドレス情報の配信を要求する第１の要求ステップと、第１の要求ステップの処理による要求に応じて配信されてきたアドレス情報を受信する第２の受信ステップと、第２の受信ステップの処理により受信されたアドレス情報に基づいて、コンテンツ配信装置に対し、関連コンテンツの配信を要求する第２の要求ステップと、第２の要求ステップの処理による要求に応じて配信されてきた関連コンテンツを受信する第３の受信ステップとを含む処理をコンピュータに行わせることを特徴とする。
【００３５】
本発明のコンテンツ再生装置は、記録メディアに記録されているコンテンツを読み出す読み出し手段と、読み出し手段により読み出されたコンテンツを出力する出力手段と、出力手段により出力されたコンテンツの特徴量を算出する算出手段と、算出手段により算出された特徴量に基づいて、コンテンツ配信装置に対し、コンテンツに関連する関連コンテンツのアドレス情報の配信を要求する第１の要求手段と、第１の要求手段による要求に応じて配信されてきたアドレス情報を受信する第２の受信手段と、第２の受信手段により受信されたアドレス情報に基づいて、コンテンツ配信装置に対し、関連コンテンツの配信を要求する第２の要求手段と、第２の要求手段による要求に応じて配信されてきた関連コンテンツを受信する第３の受信手段とを備えることを特徴とする。
【００３６】
前記第２の受信手段は、関連コンテンツを復号する鍵情報をさらに受信し、第３の受信手段は、暗号化された関連コンテンツを受信し、第３の受信手段により受信された暗号化された関連コンテンツを、第２の受信手段により受信された鍵情報に基づいて復号する復号手段をさらに設けるようにすることができる。
【００３７】
前記コンテンツ配信装置と認証処理を行う認証手段をさらに設けるようにすることができ、認証手段により認証された場合、第２の受信手段は、第１の要求手段による要求に応じて配信されてきたアドレス情報を受信するようにすることができる。
【００３８】
前記出力手段により出力されたコンテンツ、および、第３の受信手段により受信された関連コンテンツを合成する合成手段をさらに設けるようにすることができる。
【００３９】
前記コンテンツには、少なくとも広告情報が含まれ、算出手段は、広告情報から特徴量を算出するようにすることができる。
【００４０】
本発明のコンテンツ再生方法は、記録メディアに記録されているコンテンツを読み出す読み出しステップと、読み出しステップの処理により読み出されたコンテンツを出力する出力ステップと、出力ステップの処理により出力されたコンテンツの特徴量を算出する算出ステップと、算出ステップの処理により算出された特徴量に基づいて、コンテンツ配信装置に対し、コンテンツに関連する関連コンテンツのアドレス情報の配信を要求する第１の要求ステップと、第１の要求ステップの処理による要求に応じて配信されてきたアドレス情報を受信する第２の受信ステップと、第２の受信ステップの処理により受信されたアドレス情報に基づいて、コンテンツ配信装置に対し、関連コンテンツの配信を要求する第２の要求ステップと、第２の要求ステップの処理による要求に応じて配信されてきた関連コンテンツを受信する第３の受信ステップとを含むことを特徴とする。
【００４１】
本発明の第３の記録媒体に記録されているプログラムは、記録メディアに記録されているコンテンツを読み出す読み出しステップと、読み出しステップの処理により読み出されたコンテンツを出力する出力ステップと、出力ステップの処理により出力されたコンテンツの特徴量を算出する算出ステップと、算出ステップの処理により算出された特徴量に基づいて、コンテンツ配信装置に対し、コンテンツに関連する関連コンテンツのアドレス情報の配信を要求する第１の要求ステップと、第１の要求ステップの処理による要求に応じて配信されてきたアドレス情報を受信する第２の受信ステップと、第２の受信ステップの処理により受信されたアドレス情報に基づいて、コンテンツ配信装置に対し、関連コンテンツの配信を要求する第２の要求ステップと、第２の要求ステップの処理による要求に応じて配信されてきた関連コンテンツを受信する第３の受信ステップとを含む処理をコンピュータに行わせることを特徴とする。
【００４２】
本発明の第３のプログラムは、記録メディアに記録されているコンテンツを読み出す読み出しステップと、読み出しステップの処理により読み出されたコンテンツを出力する出力ステップと、出力ステップの処理により出力されたコンテンツの特徴量を算出する算出ステップと、算出ステップの処理により算出された特徴量に基づいて、コンテンツ配信装置に対し、コンテンツに関連する関連コンテンツのアドレス情報の配信を要求する第１の要求ステップと、第１の要求ステップの処理による要求に応じて配信されてきたアドレス情報を受信する第２の受信ステップと、第２の受信ステップの処理により受信されたアドレス情報に基づいて、コンテンツ配信装置に対し、関連コンテンツの配信を要求する第２の要求ステップと、第２の要求ステップの処理による要求に応じて配信されてきた関連コンテンツを受信する第３の受信ステップとを含む処理をコンピュータに行わせることを特徴とする。
【００４３】
第１の本発明においては、コンテンツ配信装置で、コンテンツに関連する関連コンテンツが記憶され、コンテンツから特徴量が算出され、記憶されている関連コンテンツのアドレス情報および算出された特徴量が関連付けられてデータベースに登録され、コンテンツ受信装置からの第１の要求に応じて、データベースに登録されているアドレス情報が検索されて配信され、コンテンツ受信装置からの第２の要求に応じて、記憶されている関連コンテンツが検索されて配信され、コンテンツ受信装置で、コンテンツが受信されて出力され、出力されたコンテンツの特徴量が算出され、算出された特徴量に基づいて、関連コンテンツのアドレス情報の配信が要求され、その要求に応じて配信されてきたアドレス情報が受信され、受信されたアドレス情報に基づいて、関連コンテンツの配信が要求され、その要求に応じて配信されてきた関連コンテンツが受信される。
【００４４】
第２の本発明においては、コンテンツに関連する関連コンテンツが記憶され、コンテンツから特徴量が算出され、記憶されている関連コンテンツのアドレス情報および算出された特徴量が関連付けられてデータベースに登録され、コンテンツ受信装置からの第１の要求に応じて、データベースに登録されているアドレス情報が検索されて配信され、コンテンツ受信装置からの第２の要求に応じて、記憶されている関連コンテンツが検索されて配信される。
【００４５】
第３の本発明においては、コンテンツ配信装置より配信されてくるコンテンツが受信されて出力され、出力されたコンテンツの特徴量が算出され、算出された特徴量に基づいて、コンテンツ配信装置に対し、コンテンツに関連する関連コンテンツのアドレス情報の配信が要求され、その要求に応じて配信されてきたアドレス情報が受信され、受信されたアドレス情報に基づいて、コンテンツ配信装置に対し、関連コンテンツの配信が要求され、その要求に応じて配信されてきた関連コンテンツが受信される。
【００４６】
第４の本発明においては、記録メディアに記録されているコンテンツが読み出されて出力され、出力されたコンテンツの特徴量が算出され、算出された特徴量に基づいて、コンテンツ配信装置に対し、コンテンツに関連する関連コンテンツのアドレス情報の配信が要求され、その要求に応じて配信されてきたアドレス情報が受信され、受信されたアドレス情報に基づいて、コンテンツ配信装置に対し、関連コンテンツの配信が要求され、その要求に応じて配信されてきた関連コンテンツが受信される。
【発明の効果】
【００４７】
本発明によれば、配信されたコンテンツから特徴量を算出することができる。特に、正常に再生されたコンテンツおよびCMから特徴量を算出することができ、算出された特徴量に基づいて、コンテンツに連動した他のコンテンツを取得するための情報を取得することができ、その情報に基づいて、他のコンテンツを取得することが可能となる。
【発明を実施するための最良の形態】
【００４８】
以下に本発明を実施するための最良の形態を説明するが、明細書中に記載の発明と、実施の形態との対応関係を例示すると、次のようになる。明細書には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００４９】
さらに、この記載は、明細書に記載されている実施の形態に対応するすべての発明が、記載されていることを意味するものではない。換言すれば、この記載は、明細書に記載されている他の発明の存在、すなわち、将来、分割出願されたり、補正により出現、追加される発明の存在を否定するものではない。
【００５０】
請求項１に記載のコンテンツ配信システム（例えば、図１の配信システム１）は、コンテンツ配信装置（例えば、図１のコンテンツ提供装置１１および配信装置１２）が、コンテンツに関連する関連コンテンツを記憶する記憶手段（例えば、図６のステップＳ７の処理を実行する図２の記憶部３３）と、コンテンツから特徴量を算出する第１の算出手段（例えば、図６のステップＳ８の処理を実行する図２の特徴量演算部３４）と、記憶手段に記憶されている関連コンテンツのアドレス情報、および算出手段により算出された特徴量を関連付けてデータベースに登録する登録手段（例えば、図６のステップＳ１０の処理を実行する図２のデータベース登録部３５）と、コンテンツを配信する第１の配信手段（例えば、図６のステップＳ１１の処理を実行する図２の制御部２３）と、コンテンツ受信装置からの第１の要求に応じて、登録手段によりデータベースに登録されているアドレス情報を検索し、配信する第２の配信手段（例えば、図８のステップＳ４４乃至Ｓ４６の処理を実行する図２の認証処理部３７）と、コンテンツ受信装置からの第２の要求に応じて、記憶手段に記憶されている関連コンテンツを検索し、配信する第３の配信手段（例えば、図８のステップＳ４８，Ｓ４９の処理を実行する図２の認証処理部３７）とを備え、コンテンツ受信装置（例えば、図１のテレビジョン受像機１４または録画装置１５）が、コンテンツを受信する第１の受信手段（例えば、図７のステップＳ２１の処理を実行する図２のアンテナ５１、または、図１０のステップＳ５１の処理を実行する図２のアンテナ８１）と、第１の受信手段により受信されたコンテンツを出力する出力手段（例えば、図７のステップＳ２４の処理を実行する図２の画像処理部７１および出力部７２、または、図１０のステップＳ５４の処理を実行する図２の画像処理部９１および出力部９２）と、出力手段により出力されたコンテンツの特徴量を算出する第２の算出手段（例えば、図７のステップＳ２５の処理を実行する図２の特徴量演算部５５、または、図１１のステップＳ６４の処理を実行する図２の特徴量演算部８５）と、第２の算出手段により算出された特徴量に基づいて、関連コンテンツのアドレス情報の配信を要求する第１の要求手段（例えば、図７のステップＳ２８の処理を実行する図２の関連コンテンツ情報取得部５６、または、図１１のステップＳ６９の処理を実行する図２の関連コンテンツ情報取得部８６）と、第１の要求手段による要求に応じて配信されてきたアドレス情報を受信する第２の受信手段（例えば、図７のステップＳ２９の処理を実行する図２の関連コンテンツ情報取得部５６、または、図１１のステップＳ７０の処理を実行する図２の関連コンテンツ情報取得部８６）と、第２の受信手段により受信されたアドレス情報に基づいて、関連コンテンツの配信を要求する第２の要求手段（例えば、図７のステップＳ３０の処理を実行する図２の関連コンテンツ取得部５８、または、図１１のステップＳ７１の処理を実行する図２の関連コンテンツ取得部８８）と、第２の要求手段による要求に応じて配信されてきた関連コンテンツを受信する第３の受信手段（例えば、図７のステップＳ３１の処理を実行する図２の関連コンテンツ取得部５８、または、図１１のステップＳ７２の処理を実行する図２の関連コンテンツ取得部８８）とを備えることを特徴とする。
【００５１】
請求項２に記載のコンテンツ配信装置（例えば、図１のコンテンツ提供装置１１および配信装置１２）は、コンテンツに関連する関連コンテンツを記憶する記憶手段（例えば、図６のステップＳ７の処理を実行する図２の記憶部３３）と、コンテンツから特徴量を算出する算出手段（例えば、図６のステップＳ８の処理を実行する図２の特徴量演算部３４）と、記憶手段に記憶されている関連コンテンツのアドレス情報、および算出手段により算出された特徴量を関連付けてデータベースに登録する登録手段（例えば、図６のステップＳ１０の処理を実行する図２のデータベース登録部３５）と、コンテンツを配信する第１の配信手段（例えば、図６のステップＳ１１の処理を実行する図２の制御部２３）と、コンテンツ受信装置からの第１の要求に応じて、登録手段によりデータベースに登録されているアドレス情報を検索し、配信する第２の配信手段（例えば、図８のステップＳ４４乃至Ｓ４６の処理を実行する図２の認証処理部３７）と、コンテンツ受信装置からの第２の要求に応じて、記憶手段に記憶されている関連コンテンツを検索し、配信する第３の配信手段（例えば、図８のステップＳ４８，Ｓ４９の処理を実行する図２の認証処理部３７）とを備えることを特徴とする。
【００５２】
請求項３に記載のコンテンツ配信装置は、関連コンテンツを暗号化する鍵情報を生成する生成手段（例えば、図６のステップＳ５の処理を実行する図２の鍵情報生成部３１）と、生成手段により生成された鍵情報に基づいて、関連コンテンツを暗号化する暗号化手段（例えば、図６のステップＳ６の処理を実行する図２の暗号化部３２）とをさらに備え、記憶手段は、暗号化手段により暗号化された関連コンテンツを記憶することを特徴とする。
【００５３】
請求項５に記載のコンテンツ配信装置は、コンテンツ受信装置と認証処理を行う認証手段（例えば、図８のステップＳ４１の処理を実行する図２の認証処理部３７）をさらに備え、認証手段により認証された場合、第２の配信手段は、第１の要求に含まれる特徴量に応じたアドレス情報を検索し、配信することを特徴とする。
【００５４】
請求項８に記載のコンテンツ配信方法は、コンテンツに関連する関連コンテンツを記憶する記憶ステップ（例えば、図６のステップＳ７）と、コンテンツから特徴量を算出する算出ステップ（例えば、図６のステップＳ８）と、記憶ステップの処理により記憶された関連コンテンツのアドレス情報、および算出ステップの処理により算出された特徴量を関連付けてデータベースに登録する登録ステップ（例えば、図６のステップＳ１０）と、コンテンツを配信する第１の配信ステップ（例えば、図６のステップＳ１１）と、コンテンツ受信装置からの第１の要求に応じて、登録ステップの処理によりデータベースに登録されているアドレス情報を検索し、配信する第２の配信ステップ（例えば、図８のステップＳ４４乃至Ｓ４６）と、コンテンツ受信装置からの第２の要求に応じて、記憶ステップの処理により記憶されている関連コンテンツを検索し、配信する第３の配信ステップ（例えば、図８のステップＳ４８，Ｓ４９）とを含むことを特徴とする。
【００５５】
請求項１１に記載のコンテンツ受信装置（例えば、図１のテレビジョン受像機１４または録画装置１５）は、コンテンツ配信装置より配信されてくるコンテンツを受信する第１の受信手段（例えば、図７のステップＳ２１の処理を実行する図２のアンテナ５１、または、図１０のステップＳ５１の処理を実行する図２のアンテナ８１）と、第１の受信手段により受信されたコンテンツを出力する出力手段（例えば、図７のステップＳ２４の処理を実行する図２の画像処理部７１および出力部７２、または、図１０のステップＳ５４の処理を実行する図２の画像処理部９１および出力部９２）と、出力手段により出力されたコンテンツの特徴量を算出する算出手段（例えば、図７のステップＳ２５の処理を実行する図２の特徴量演算部５５、または、図１１のステップＳ６４の処理を実行する図２の特徴量演算部８５）と、算出手段により算出された特徴量に基づいて、コンテンツ配信装置に対し、コンテンツに関連する関連コンテンツのアドレス情報の配信を要求する第１の要求手段（例えば、図７のステップＳ２８の処理を実行する図２の関連コンテンツ情報取得部５６、または、図１１のステップＳ６９の処理を実行する図２の関連コンテンツ情報取得部８６）と、第１の要求手段による要求に応じて配信されてきたアドレス情報を受信する第２の受信手段（例えば、図７のステップＳ２９の処理を実行する図２の関連コンテンツ情報取得部５６、または、図１１のステップＳ７０の処理を実行する図２の関連コンテンツ情報取得部８６）と、第２の受信手段により受信されたアドレス情報に基づいて、コンテンツ配信装置に対し、関連コンテンツの配信を要求する第２の要求手段（例えば、図７のステップＳ３０の処理を実行する図２の関連コンテンツ取得部５８、または、図１１のステップＳ７１の処理を実行する図２の関連コンテンツ取得部８８）と、第２の要求手段による要求に応じて配信されてきた関連コンテンツを受信する第３の受信手段（例えば、図７のステップＳ３１の処理を実行する図２の関連コンテンツ取得部５８、または、図１１のステップＳ７２の処理を実行する図２の関連コンテンツ取得部８８）とを備えることを特徴とする。
【００５６】
請求項１２に記載のコンテンツ受信装置は、第２の受信手段が、関連コンテンツを復号する鍵情報をさらに受信し、第３の受信手段が、暗号化された関連コンテンツを受信し、第３の受信手段により受信された暗号化された関連コンテンツを、第２の受信手段により受信された鍵情報に基づいて復号する復号手段（例えば、図７のステップＳ３１の処理を実行する図２の復号部５９、または、図１１のステップＳ７２の処理を実行する図２の復号部８９）をさらに備えることを特徴とする。
【００５７】
請求項１３に記載のコンテンツ受信装置は、コンテンツ配信装置と認証処理を行う認証手段（例えば、図７のステップＳ２６の処理を実行する図２の認証処理部５７、または、図１１のステップＳ６７の処理を実行する図２の認証処理部８７）をさらに備え、認証手段により認証された場合、第２の受信手段は、第１の要求手段による要求に応じて配信されてきたアドレス情報を受信することを特徴とする。
【００５８】
請求項１４に記載のコンテンツ受信装置は、出力手段により出力されたコンテンツ、および、第３の受信手段により受信された関連コンテンツを合成する合成手段（例えば、図７のステップＳ３２の処理を実行する図２の合成部７３、または、図１１のステップＳ７４の処理を実行する図２の合成部９６）をさらに備えることを特徴とする。
【００５９】
請求項１５に記載のコンテンツ受信装置は、第１の受信手段により受信されたコンテンツ、および、第３の受信手段により受信された関連コンテンツを記録する記録手段（例えば、図１０のステップＳ５６、および、図１１のステップＳ７５の処理を実行する図２の記録部９３）と、記録手段に記録されているコンテンツを再生する再生手段（例えば、図１１のステップＳ６２の処理を実行する図２の再生部９５）とをさらに備え、算出手段は、再生手段により再生されたコンテンツの特徴量を算出し、第１の要求手段は、算出手段により算出された特徴量に基づいて、アドレス情報の配信を要求し、第２の受信手段は、第１の要求手段による要求に応じて配信されてきたアドレス情報を受信し、第２の要求手段は、第２の受信手段により受信されたアドレス情報に基づいて、関連コンテンツの配信を要求し、第３の受信手段は、第２の要求手段による要求に応じて配信されてきた関連コンテンツを受信することを特徴とする。
【００６０】
請求項１７に記載のコンテンツ受信装置は、記録手段に、特徴量に対応する関連コンテンツが既に記録されているか否かを判定する判定手段（例えば、図１１のステップＳ６５の処理を実行する図２の関連コンテンツ情報取得部８６）をさらに備え、判定手段により、関連コンテンツが既に記録されていると判定された場合、第１の要求手段は、アドレス情報の配信要求を行わないことを特徴とする。
【００６１】
請求項２１に記載のコンテンツ受信方法は、コンテンツ配信装置より配信されてくるコンテンツを受信する第１の受信ステップ（例えば、図７のステップＳ２１または図１０のステップＳ５１）と、第１の受信ステップの処理により受信されたコンテンツを出力する出力ステップ（例えば、図７のステップＳ２４または図１０のステップＳ５４）と、出力ステップの処理により出力されたコンテンツの特徴量を算出する算出ステップ（例えば、図７のステップＳ２５または図１１のステップＳ６４）と、算出ステップの処理により算出された特徴量に基づいて、コンテンツ配信装置に対し、コンテンツに関連する関連コンテンツのアドレス情報の配信を要求する第１の要求ステップ（例えば、図７のステップＳ２８または図１１のステップＳ６９）と、第１の要求ステップの処理による要求に応じて配信されてきたアドレス情報を受信する第２の受信ステップ（例えば、図７のステップＳ２９または図１１のステップＳ７０）と、第２の受信ステップの処理により受信されたアドレス情報に基づいて、コンテンツ配信装置に対し、関連コンテンツの配信を要求する第２の要求ステップ（例えば、図７のステップＳ３０または図１１のステップＳ７１）と、第２の要求ステップの処理による要求に応じて配信されてきた関連コンテンツを受信する第３の受信ステップ（例えば、図７のステップＳ３１または図１１のステップＳ７２）とを含むことを特徴とする。
【００６２】
請求項２４に記載のコンテンツ再生装置（例えば、図１のテレビジョン受像機１４）は、記録メディア（例えば、図２のメディア６１）に記録されているコンテンツを読み出す読み出し手段（例えば、図１２のステップＳ８２の処理を実行する図２の画像処理部７１）と、読み出し手段により読み出されたコンテンツを出力する出力手段（例えば、図１２のステップＳ８３の処理を実行する図２の画像処理部７１および出力部７２）と、出力手段により出力されたコンテンツの特徴量を算出する算出手段（例えば、図１２のステップＳ８４の処理を実行する図２の特徴量演算部５５）と、算出手段により算出された特徴量に基づいて、コンテンツ配信装置に対し、コンテンツに関連する関連コンテンツのアドレス情報の配信を要求する第１の要求手段（例えば、図１２のステップＳ８７の処理を実行する図２の関連コンテンツ情報取得部５６）と、第１の要求手段による要求に応じて配信されてきたアドレス情報を受信する第２の受信手段（例えば、図１２のステップＳ８８の処理を実行する図２の関連コンテンツ情報取得部５６）と、第２の受信手段により受信されたアドレス情報に基づいて、コンテンツ配信装置に対し、関連コンテンツの配信を要求する第２の要求手段（例えば、図１２のステップＳ８９の処理を実行する図２の関連コンテンツ取得部５８）と、第２の要求手段による要求に応じて配信されてきた関連コンテンツを受信する第３の受信手段（例えば、図１２のステップＳ９０の処理を実行する図２の関連コンテンツ取得部５８）とを備えることを特徴とする。
【００６３】
請求項２５に記載のコンテンツ再生装置は、第２の受信手段が、関連コンテンツを復号する鍵情報をさらに受信し、第３の受信手段が、暗号化された関連コンテンツを受信し、第３の受信手段により受信された暗号化された関連コンテンツを、第２の受信手段により受信された鍵情報に基づいて復号する復号手段（例えば、図１２のステップＳ９０の処理を実行する図２の復号部５９）をさらに備えることを特徴とする。
【００６４】
請求項２６に記載のコンテンツ再生装置は、コンテンツ配信装置と認証処理を行う認証手段（例えば、図１２のステップＳ８５の処理を実行する図２の認証処理部５７）をさらに備え、認証手段により認証された場合、第２の受信手段は、第１の要求手段による要求に応じて配信されてきたアドレス情報を受信することを特徴とする。
【００６５】
請求項２７に記載のコンテンツ再生装置は、出力手段により出力されたコンテンツ、および、第３の受信手段により受信された関連コンテンツを合成する合成手段（例えば、図１２のステップＳ９１の処理を実行する図２の合成部７３）をさらに備えることを特徴とする。
【００６６】
請求項２９に記載のコンテンツ再生方法は、記録メディアに記録されているコンテンツを読み出す読み出しステップ（例えば、図１２のステップＳ８２）と、読み出しステップの処理により読み出されたコンテンツを出力する出力ステップ（例えば、図１２のステップＳ８３）と、出力ステップの処理により出力されたコンテンツの特徴量を算出する算出ステップ（例えば、図１２のステップＳ８４）と、算出ステップの処理により算出された特徴量に基づいて、コンテンツ配信装置に対し、コンテンツに関連する関連コンテンツのアドレス情報の配信を要求する第１の要求ステップ（例えば、図１２のステップＳ８７）と、第１の要求ステップの処理による要求に応じて配信されてきたアドレス情報を受信する第２の受信ステップ（例えば、図１２のステップＳ８８）と、第２の受信ステップの処理により受信されたアドレス情報に基づいて、コンテンツ配信装置に対し、関連コンテンツの配信を要求する第２の要求ステップ（例えば、図１２のステップＳ８９）と、第２の要求ステップの処理による要求に応じて配信されてきた関連コンテンツを受信する第３の受信ステップ（例えば、図１２のステップＳ９０）とを含むことを特徴とする。
【００６７】
なお、請求項９に記載の記録媒体に記録されているプログラム、および請求項１０に記載のプログラムにおいても、各ステップが対応する実施の形態（但し一例）は、請求項８に記載のコンテンツ配信方法と同様であり、請求項２２に記載の記録媒体に記録されているプログラム、および請求項２３に記載のプログラムにおいても、各ステップが対応する実施の形態（但し一例）は、請求項２１に記載のコンテンツ受信方法と同様であり、請求項３０に記載の記録媒体に記録されているプログラム、および請求項３１に記載のプログラムにおいても、各ステップが対応する実施の形態（但し一例）は、請求項２９に記載のコンテンツ再生方法と同様である。
【００６８】
以下に、本発明の実施の形態について図面を参照して説明する。
【００６９】
図１は、本発明を適用した配信システム１の一実施の形態の構成例を示す図である。この配信システム１においては、インターネットなどのネットワーク１３を介して、コンテンツ提供装置１１、配信装置１２、テレビジョン受像機１４、および録画装置１５が相互に接続されている。
【００７０】
コンテンツ提供装置１１は、広告主１６から提供された広告情報（CM）を挿入した放送コンテンツ（いわゆる番組）を制作し、テレビジョン受像機１４および録画装置１５に配信する。また、コンテンツ提供装置１１は、放送コンテンツが視聴された場合に新たに提供する関連コンテンツを制作し、配信装置１２に、直接、または、ネットワーク１３を介して供給する。
【００７１】
配信装置１２は、コンテンツ提供装置１１から供給された関連コンテンツを暗号化した後、格納する。また、配信装置１２は、放送コンテンツの特徴量を算出し、特徴量および関連コンテンツを取得するための情報を関連付けてデータベースに登録する。また、配信装置１２は、テレビジョン受像機１４または録画装置１５から送信されてきた特徴量に対応する、関連コンテンツを取得するための情報を読み出し、ネットワーク１３を介して配信する。さらに、配信装置１２は、テレビジョン受像機１４または録画装置１５から送信されてきた情報に応じて、所定の関連コンテンツを読み出し、ネットワーク１３を介して配信する。
【００７２】
テレビジョン受像機１４は、コンテンツ提供装置１１から配信されてきた放送コンテンツを受信し、再生する。また、テレビジョン受像機１４は、CMを含む放送コンテンツが正常に再生された場合に、その特徴量を算出してネットワーク１３を介して配信装置１２に送信し、関連コンテンツを取得するための情報の配信を要求する。また、テレビジョン受像機１４は、関連コンテンツを取得するための情報に基づいて、ネットワーク１３を介して配信装置１２に対し、関連コンテンツの配信を要求する。さらに、テレビジョン受像機１４は、配信装置１２からネットワーク１３を介して配信されてきた関連コンテンツを受信し、先に取得した情報に基づいて、関連コンテンツを復号し、再生する。
【００７３】
録画装置１５は、例えば、HDDレコーダなどで構成され、コンテンツ提供装置１１から配信されてきた放送コンテンツを受信し、録画する。ユーザにより再生が指示されると、録画装置１５は、録画したコンテンツを読み出して、それをテレビジョン受像機１４に供給し、再生させる。また、録画装置１５は、CMを含む放送コンテンツが正常に再生された場合に、その特徴量を算出してネットワーク１３を介して配信装置１２に送信し、関連コンテンツを取得するための情報の配信を要求する。まて、録画装置１５は、関連コンテンツを取得するための情報に基づいて、ネットワーク１３を介して配信装置１２に対し、関連コンテンツの配信を要求する。さらに、録画装置１５は、配信装置１２からネットワーク１３を介して配信されてきた関連コンテンツを受信し、先に取得した情報に基づいて、関連コンテンツを復号して、それをテレビジョン受像機１４に供給し、再生させる。
【００７４】
図２は、配信システム１の内部の構成例を示すブロック図である。
【００７５】
コンテンツ提供装置１１は、コンテンツ制作部２１、記憶部２２、制御部２３、および送信部２４により構成される。
【００７６】
コンテンツ制作部２１は、コンテンツ（番組）に、広告主１６から提供された広告情報（CM）を挿入した放送コンテンツを制作するとともに、その放送コンテンツが視聴された場合に新たに提供するための、放送コンテンツに連動した関連コンテンツを制作する。
【００７７】
記憶部２２には、コンテンツ制作部２１により制作された放送コンテンツが格納されている。制御部２３は、記憶部２２に記憶されている放送コンテンツを読み出し、送信部２４を介して配信する。
【００７８】
配信装置１２は、鍵情報生成部３１、暗号化部３２、記憶部３３、特徴量演算部３４、データベース登録部３５、データベース３６、認証処理部３７、および送受信部３８により構成される。
【００７９】
鍵情報生成部３１は、コンテンツ提供装置１１で制作された関連コンテンツを暗号化するための鍵情報を生成し、それを暗号化部３２およびデータベース登録部３５にそれぞれ供給する。暗号化部３２は、コンテンツ提供装置１１より供給された関連コンテンツを、鍵情報生成部３１から供給された鍵情報を用いて暗号化し、暗号化された関連コンテンツを記憶部３３に記憶させる。
【００８０】
図３は、記憶部３３に記憶される関連コンテンツの記憶例を示す図である。図３の例においては、「関連コンテンツＡ」が「ADRS001」の格納アドレスに記憶され、「関連コンテンツＣ」が「ADRS003」の格納アドレスに記憶されている。
【００８１】
特徴量演算部３４は、コンテンツ提供装置１１の記憶部２２から放送コンテンツを読み出し、その特徴量を算出する。例えば、図４に示されるように、コンテンツＡ、広告情報CMA１乃至CMA３、コンテンツＢ、広告情報CMB１乃至CMB３、およびコンテンツＣからなる放送コンテンツにおいて、広告情報CMA１乃至CMA３と、その前後のコンテンツＡおよびコンテンツＢの所定区間（１分間など）を含む領域Ａから、特徴量Ｘ１が算出される。また、広告情報CMA３、コンテンツＢ、および広告情報CMB１を含む領域Ｂから、特徴量Ｘ２が算出される。さらに、広告情報CMB１乃至CMB３と、その前後のコンテンツＢおよびコンテンツＣの所定区間を含む領域Ｃから、特徴量Ｘ３が算出される。
【００８２】
ここで、特徴量算出において、映像の特徴量は、例えば、輝度や明度などの画素値、または、動きベクトルなどから算出され、音声の特徴量は、例えば、周波数分布などから算出される。なお、特徴量抽出に関する技術の詳細は、例えば、特開２００２−２９０８８９号公報等に開示されている。
【００８３】
データベース登録部３５は、暗号化された関連コンテンツの記憶部３３における格納先に関する情報（以下、格納アドレス情報と称する）を取得し、それを、特徴量演算部３４から供給された特徴量、および、鍵情報生成部３１から供給された鍵情報と関連付けてデータベース３６に登録する。
【００８４】
図５は、データベース３６に登録される情報の蓄積例を示す図である。同図に示されるように、「特徴量」、「格納アドレス情報」、および「鍵情報」が関連付けられて蓄積されている。図５の例においては、「Ｘ１」の特徴量、「ADRS001」の格納アドレス情報、および「Ｋ１」の鍵情報が関連付けられて蓄積され、「Ｘ３」の特徴量、「ADRS003」の格納アドレス情報、および「Ｋ３」の鍵情報が関連付けられて蓄積されている。また、「Ｘ１」、「Ｘ３」の特徴量は、図４で説明した領域Ａ，Ｃから算出された特徴量を表わし、「ADRS001」、「ADRS003」の格納アドレス情報は、図３で説明した記憶部３３の格納アドレスを表わしている。
【００８５】
なお、本実施の形態では、ユーザがCMを視聴したら、関連コンテンツを取得することができるようにするために、データベース３６に登録される特徴量は、CMを含む領域（図４の例の場合、領域Ａおよび領域Ｃ）から算出されたものに限定される。従って、それ以外の領域（図４の例の場合、領域Ｂ）から算出された特徴量は、データベース３６に登録されない。
【００８６】
図２の説明に戻る。認証処理部３７は、テレビジョン受像機１４または録画装置１５から、ネットワーク１３および送受信部３８を介してアクセスされると、所定の認証処理を行う。そして、認証された場合、認証処理部３７は、送受信部３８から供給された、関連コンテンツを取得するための情報の配信要求に含まれる特徴量に基づいて、データベース３６に蓄積されている、特徴量に関連付けられた格納アドレス情報および鍵情報を検索し、送受信部３８に供給する。また、認証処理部３７は、送受信部３８から供給された、関連コンテンツの配信要求に含まれる格納アドレス情報に基づいて、記憶部３３に記憶されている所定の関連コンテンツを読み出し、送受信部３８に供給する。
【００８７】
送受信部３８は、ネットワーク１３を介してテレビジョン受像機１４または録画装置１５から送信されてきた、関連コンテンツを取得するための情報の配信要求、または、関連コンテンツの配信要求を受信し、認証処理部３７に供給する。また、送受信部３８は、認証処理部３７から供給された格納アドレス情報および鍵情報、または、関連コンテンツを、
ネットワーク１３を介してテレビジョン受像機１４または録画装置１５に配信する。
【００８８】
テレビジョン受像機１４は、アンテナ５１、チューナ５２、復調部５３、使用部５４、特徴量演算部５５、関連コンテンツ情報取得部５６、認証処理部５７、関連コンテンツ取得部５８、復号部５９、およびドライブ６０により構成され、さらに使用部５４は、画像処理部７１、出力部７２、および合成部７３により構成される。
【００８９】
アンテナ５１は、配信されてきた放送コンテンツを受信する。チューナ５２は、アンテナ５１で受信された放送コンテンツをチューニングし、所定のチャンネルの受信波を選択する。復調部５３は、チューナ５１で選択された所定のチャンネルの受信波を復調する。画像処理部７１は、復調部５３で復調されたデータに対し、所定の画像処理を施す。出力部７２は、画像処理部７１で所定の画像処理が施されたデータから出力データを生成する。
【００９０】
特徴量演算部５５は、出力部７２で生成された出力データから特徴量を算出し、それを関連コンテンツ情報取得部５６に供給する。関連コンテンツ情報取得部５６は、特徴量演算部５５から供給された特徴量に基づいて、認証処理部５７、およびネットワーク１３を介して配信装置１２に対し、関連コンテンツを取得するための情報の配信を要求する。また、関連コンテンツ情報取得部５６は、配信装置１２より配信されてきた関連コンテンツを取得するための情報である格納アドレス情報および鍵情報を受信し、格納アドレス情報を関連コンテンツ取得部５８に供給するとともに、鍵情報を復号部５９に供給する。
【００９１】
関連コンテンツ取得部５８は、関連コンテンツ情報取得部５６から供給された格納アドレス情報に基づいて、認証処理部５７、およびネットワーク１３を介して配信装置１２に対し、関連コンテンツの配信を要求する。また、関連コンテンツ取得部５８は、配信装置１２より配信されてきた関連コンテンツを受信し、復号部５９に供給する。
【００９２】
認証処理部５７は、関連コンテンツ情報取得部５６からの要求に基づいて、ネットワーク１３を介して配信装置１２にアクセスし、配信装置１２との間で認証処理を行う。そして、認証されると、認証処理部５７は、関連コンテンツ情報取得部５６から供給された特徴量をネットワーク１３を介して配信装置１２に送信し、その特徴量に基づいて配信されてきた関連コンテンツを取得するための情報である格納アドレス情報および鍵情報を受信し、関連コンテンツ情報取得部５６に供給する。また、認証処理部５７は、関連コンテンツ取得部５８から供給された格納アドレス情報をネットワーク１３を介して配信装置１２に送信し、その格納アドレス情報に基づいて配信されてきた関連コンテンツを受信し、関連コンテンツ取得部５８に供給する。
【００９３】
復号部５９は、関連コンテンツ情報取得部５６から供給された鍵情報を用いて、関連コンテンツ取得部５８で受信された関連コンテンツを復号する。合成部７３は、出力部７２で生成された出力データ（すなわち、通常に配信されてくる放送コンテンツ）、および、復号部５９で復号されたデータ（すなわち、放送コンテンツに連動する、新たに取得した関連コンテンツ）を合成（重畳）し、ディスプレイやスピーカなどに出力する。
【００９４】
ドライブ６０には、必要に応じてメディア６１が適宜装着され、メディア６１から読み出された録画コンテンツが使用部５４に供給されて再生されるか、あるいは、使用部５４から出力されたデータがメディア６１に記録される。
【００９５】
録画装置１５は、アンテナ８１、チューナ８２、復調部８３、使用部８４、特徴量演算部８５、関連コンテンツ情報取得部８６、認証処理部８７、関連コンテンツ取得部８８、および復号部８９により構成され、さらに使用部８４は、画像処理部９１、出力部９２、記録部９３、HDD９４、再生部９５、および合成部９６により構成される。
【００９６】
アンテナ８１乃至復調部８３、および、特徴量演算部８５乃至復号部８９は、テレビジョン受像機１４のアンテナ５１乃至復調部５３、および、特徴量演算部５５乃至復号部５９と、それぞれ同様の構成を有するため、その説明は省略する。
【００９７】
画像処理部９１は、復調部８３で復調されたデータに対し、所定の画像処理を施す。出力部９２は、画像処理部９１で所定の画像処理が施されたデータから出力データを生成する。記録部９３は、出力部９２で生成された出力データに対して所定の圧縮処理を施し、録画データとしてHDD９４に保存（録画）させる。再生部９５は、HDD９４に保存されている録画データを読み出して再生し、再生データに対して所定の伸張処理を施す。
【００９８】
合成部９６は、再生部９５で伸張された再生データ（すなわち、通常に配信されてくる放送コンテンツ）、および、復号部８９で復号されたデータ（すなわち、放送コンテンツに連動する、新たに取得した関連コンテンツ）を合成（重畳）し、ディスプレイやスピーカなどに出力する。復号部８９は、復号したデータを、記録部９３を介してHDD９４に供給し、そこに保存させる。なお、テレビジョン受像機１４と同様に、録画装置１５の出力部９２で生成された出力データは、圧縮および保存せず、合成部９６において、復号部８８からの出力と直接合成するようにしても良い。
【００９９】
以上の構成により、受信側では、放送コンテンツ、および、そのコンテンツに連動する関連コンテンツが合成されて出力される。かくして、連動とは、例えば、以下のようなものが考えられる。
【０１００】
（１）野球中継において、選手の成績情報データを関連コンテンツとして取得し、画面に重ねて表示する。
（２）野球中継において、スローモーション画像や他の角度から撮像した映像を関連コンテンツとして取得し、表示する。
（３）録画済みのニュースや天気予報番組を再生する際に、その後の経過状況や変更状況を関連コンテンツとして取得し、表示する。
（４）景品などの申し込み映像において、番組を正常に視聴していたユーザのみがクイズのヒントなどを関連コンテンツとして取得し、表示する。
（５）番組において、その番組を正常に視聴していたユーザのみが景品申し込み映像を関連コンテンツとして取得し、表示する。
（６）音楽番組あるいは映像番組において、高音質データや高画質データを関連コンテンツとして取得し、低音質データや低画質データから切り替えて出力する。
（７）所定の広告主のCMを全て視聴した場合に、この広告主が提供する次のCM（例えば、レア物のCM）を取得し、表示する。
（８）関連コンテンツを受信し、このデータに基づいて、振動パット、リクライニングシート、匂い発生装置、あるいは加速度体感装置などの外部機器を制御する。
【０１０１】
このように、ユーザが、CMを正常に視聴した場合にのみ、放送コンテンツに連動する関連コンテンツを取得することができ、コンテンツ提供装置１１および配信装置１２は、より面白みのあるサービスとして番組を提供することができる。
【０１０２】
次に、図６のフローチャートを参照して、コンテンツ提供装置１１および配信装置１２が実行する、放送コンテンツ配信処理について説明する。
【０１０３】
ステップＳ１において、コンテンツ提供装置１１の管理者は、広告主１６とスポンサ契約する。ステップＳ２において、コンテンツ制作部２１は、コンテンツ（番組）に、広告主１６から提供された広告情報（CM）を挿入した放送コンテンツを制作する。ステップＳ３において、コンテンツ制作部２１は、ステップＳ２の処理で制作した放送コンテンツを記憶部２２に記憶させる。ステップＳ４において、コンテンツ制作部２１は、ステップＳ２の処理で制作した放送コンテンツが正常に視聴された場合に新たに提供するための、放送コンテンツに連動した関連コンテンツを制作し、配信装置１２に供給する。
【０１０４】
ステップＳ５において、配信装置１２の鍵情報生成部３１は、ステップＳ４の処理で制作された関連コンテンツを暗号化するための鍵情報を生成する。ステップＳ６において、暗号化部３２は、ステップＳ４の処理で制作された関連コンテンツを、ステップＳ５の処理で生成された鍵情報を用いて暗号化する。ステップＳ７において、暗号化部３２は、ステップＳ６の処理で暗号化された関連コンテンツを記憶部３３に格納させる。
【０１０５】
ステップＳ８において、特徴量演算部３４は、ステップＳ３の処理でコンテンツ提供装置１１の記憶部２２に記憶された放送コンテンツを読み出し、その特徴量を算出する。例えば、図４に示したように、広告情報CMA１乃至CMA３と、その前後のコンテンツＡおよびコンテンツＢの所定区間（１分間など）を含む領域Ａから、特徴量Ｘ１が算出され、広告情報CMB１乃至CMB３と、その前後のコンテンツＢおよびコンテンツＣの所定区間を含む領域Ｃから、特徴量Ｘ３が算出される。
【０１０６】
ステップＳ９において、データベース登録部３５は、ステップＳ７の処理で記憶部３３に格納された関連コンテンツの格納アドレス情報を取得する。ステップＳ１０において、データベース登録部３５は、ステップＳ８の処理で算出された特徴量、ステップＳ９の処理で取得された格納アドレス情報、および、ステップＳ５の処理で生成された鍵情報を関連付けてデータベース３６に蓄積させる（例えば、図５）。
【０１０７】
ステップＳ１１において、コンテンツ提供装置１１の制御部２３は、ステップＳ３の処理で記憶部２２に記憶された放送コンテンツを読み出し、送信部２４を介して配信する。
【０１０８】
以上の放送コンテンツ配信処理により、コンテンツ提供装置１１は、放送コンテンツを制作し、視聴者に配信するとともに、放送コンテンツに連動する関連コンテンツを制作することができる。また、配信装置１２は、コンテンツ提供装置１１で制作された関連コンテンツを記憶し、関連コンテンツを暗号化するための鍵情報を生成し、放送コンテンツの特徴量を算出し、算出された特徴量、記憶されている関連コンテンツの格納アドレス情報、および、鍵情報を関連付けてデータベース３６に蓄積することができる。
【０１０９】
なお、ステップＳ２において、放送コンテンツを制作する際に同期情報を生成し、それを予め放送コンテンツに埋め込んでおくようにしても良い。
【０１１０】
また、ステップＳ４において、鍵情報は、放送コンテンツ毎に生成されるようにしたが、これに限らず、例えば、システムで固有（１つ）のものにして定期的に更新するようにしてもよい。この場合には、ステップＳ１０において、鍵情報を特徴量と関連付けてデータベース３６に蓄積させる必要はない。
【０１１１】
次に、図７のフローチャートを参照して、テレビジョン受像機１４が実行する、コンテンツ受信処理について説明する。
【０１１２】
ステップＳ２１において、アンテナ５１は、上述した図６のステップＳ１１の処理により配信されてきた放送波（すなわち、放送コンテンツ）を受信する。ステップＳ２２において、チューナ５２は、ステップＳ２１の処理で受信された放送コンテンツをチューニングし、所定のチャンネルの受信波を選択する。ステップＳ２３において、復調部５３は、ステップＳ２２の処理で選択された所定のチャンネルの受信波を復調する。
【０１１３】
ステップＳ２４において、画像処理部７１は、ステップＳ２３の処理で復調されたデータに対して所定の画像処理を施す。出力部７２は、画像処理が施されたデータから出力データを生成する。ステップＳ２５において、特徴量演算部５５は、ステップＳ２４の処理で生成された出力データから特徴量を算出する。ステップＳ２６において、関連コンテンツ情報取得部５６は、ステップＳ２５の処理で算出された特徴量を認証処理部５７に供給し、配信装置１２との間で認証処理を行うように要求するとともに、認証された場合には、関連コンテンツを取得するための情報の配信を要求する。認証処理部５７は、関連コンテンツ情報取得部５６からの要求に基づいて、ネットワーク１３を介して配信装置１２にアクセスし、配信装置１２との間で認証処理を行う。
【０１１４】
ステップＳ２７において、認証処理部５７は、配信装置１２との間で認証されたか否かを判定し、認証されたと判定した場合、ステップＳ２８に進み、関連コンテンツ情報取得部５６から供給された特徴量をネットワーク１３を介して配信装置１２に送信する。この特徴量を受信した配信装置１２は、データベース３６から、特徴量に関連付けられている格納アドレス情報および鍵情報を検索し、配信する（その詳細は、図８のフローチャートを参照して後述する）。
【０１１５】
ステップＳ２９において、関連コンテンツ情報取得部５６は、ステップＳ２８の処理で送信された特徴量に基づいて、配信装置１２よりネットワーク１３を介して配信されてきた格納アドレス情報および鍵情報を取得する。ステップＳ３０において、関連コンテンツ取得部５８は、ステップＳ２９の処理で取得された格納アドレス情報に基づいて、認証処理部５７、およびネットワーク１３を介して配信装置１２に対し、関連コンテンツの配信を要求する。この要求を受信した配信装置１２は、受信要求に含まれる格納アドレス情報に基づいて、記憶部３３から対応する関連コンテンツを検索し、配信する（その詳細は、図８のフローチャートを参照して後述する）。
【０１１６】
ステップＳ３１において、関連コンテンツ取得部５８は、ステップＳ３０の処理による配信要求に応じて、配信装置１２よりネットワーク１３を介して配信されてきた関連コンテンツを取得する。復号部５９は、ステップＳ２９の処理で取得された鍵情報を用いて関連コンテンツを復号する。ステップＳ３２において、合成部７３は、ステップＳ２４の処理で生成された出力データ（放送コンテンツ）、および、ステップＳ３１の処理で復号されたデータ（関連コンテンツ）を合成し、ディスプレイやスピーカなどに出力する。
【０１１７】
ステップＳ２７において、配信装置１２との間で認証されなかったと判定された場合、ステップＳ３３に進み、合成部７３は、ステップＳ２４の処理で生成された出力データ（放送コンテンツ）をディスプレイやスピーカなどに出力する。すなわち、配信装置１２との間で認証されなかった場合（不正な視聴者である場合）、放送コンテンツに連動する関連コンテンツを取得することができないため、誰もが視聴可能な放送コンテンツのみが出力される。
【０１１８】
以上のコンテンツ受信処理により、テレビジョン受像機１４は、受信した放送コンテンツ（CMを含む）を正常に再生した場合に特徴量を算出し、その特徴量に基づいて、関連コンテンツの格納アドレス情報および鍵情報を取得することができ、さらに格納アドレス情報に基づいて、放送コンテンツに連動する関連コンテンツを新たに取得することができる。
【０１１９】
また、認証された場合に、特徴量に基づく鍵情報および格納アドレス情報を取得し、取得した格納アドレス情報に基づいて、暗号化された関連コンテンツをさらに取得し、それを、先に取得した鍵情報を用いて復号するようにしたが、本発明はこれに限られるものではなく、例えば、特徴量に基づく格納アドレス情報を取得し、取得した格納アドレス情報に基づいて、暗号化された関連コンテンツを取得し、認証された場合に、鍵情報をさらに取得して復号するようにしてもよい。
【０１２０】
次に、図８のフローチャートを参照して、配信装置１２が実行する、関連コンテンツ配信処理について説明する。
【０１２１】
ステップＳ４１において、認証処理部３７は、受信側（例えば、テレビジョン受像機１４）からアクセスされると、所定の認証処理を行い、ステップＳ４２において、認証されたか否かを判定する。ステップＳ４２において、認証されたと判定された場合、ステップＳ４３に進み、認証処理部３７は、送受信部３８を介して受信側より特徴量を受信したか否かを判定し、特徴量を受信するまで待機する。
【０１２２】
ステップＳ４３において、上述した図７のステップＳ２８の処理により送信されてきた特徴量を受信したと判定された場合、ステップＳ４４に進み、認証処理部３７は、データベース３６を参照し、そこに蓄積されている特徴量のうち、受信した特徴量に一致するものを検索する。ステップＳ４５において、認証処理部３７は、ステップＳ４４の処理で検索された特徴量に関連付けられている格納アドレス情報および鍵情報を取得する。例えば、「Ｘ１」の特徴量を受信した場合、図５において、「Ｘ１」の特徴量に関連付けられている「ADRS001」の格納アドレス情報、および、「Ｋ１」の鍵情報が取得される。
【０１２３】
ステップＳ４６において、認証処理部３７は、ステップＳ４５の処理で取得された格納アドレス情報および鍵情報を配信する。これらの情報を受信したテレビジョン受像機１４は、格納アドレス情報に基づいて、関連コンテンツの配信を要求する（図７のステップＳ３０）。ステップＳ４７において、認証処理部３７は、送受信部３８を介して受信側より格納アドレス情報を受信したか否かを判定し、格納アドレス情報を受信するまで待機する。
【０１２４】
ステップＳ４７において、上述した図７のステップＳ３０の処理により送信されてきた格納アドレス情報を受信したと判定された場合、ステップＳ４８に進み、認証処理部３７は、ステップＳ４７の処理で受信された格納アドレス情報に基づいて、記憶部３３に格納されている所定の関連コンテンツを検索する。例えば、「ADRS001」の格納アドレス情報を受信した場合、図３において、「関連コンテンツＡ」が検索される。ステップＳ４９において、認証処理部３７は、ステップＳ４８の処理で検索された関連コテンツを、送受信部３８を介して配信する。
【０１２５】
以上の関連コンテンツ配信処理により、配信装置１２は、視聴者からの配信要求に含まれる特徴量に基づいて、対応する格納アドレス情報および鍵情報を検索し、配信することができ、さらに視聴者からの配信要求に含まれる格納アドレス情報に基づいて、対応する関連コンテンツを検索し、配信することができる。
【０１２６】
また、認証された場合に、特徴量に基づく鍵情報および格納アドレス情報を検索して配信するようにしたが、本発明はこれに限られるものではなく、例えば、特徴量に基づく格納アドレス情報を検索して配信し、認証された場合に、鍵情報を検索して配信するようにしてもよい。
【０１２７】
なお、ステップＳ４１において、受信側からアクセスされると必ず認証処理を行うようにしたが、これは、関連コンテンツの不正入手を防止するために行うようにしたものであって、認証処理を省略することも勿論可能である。
【０１２８】
以上によれば、視聴者が放送コンテンツを視聴中において、例えば、図９Ａに示されるように、コンテンツＡおよび広告情報CMAからなる放送コンテンツから特徴量を算出し、その特徴量に基づいて、格納アドレス情報および鍵情報を取得することが可能となる。また、格納アドレス情報に基づいて関連コンテンツをさらに取得し、先に取得した鍵情報を用いて復号することが可能となる。その際に、例えば、取得した関連コンテンツをCM領域で視聴させるように制限することで（例えば、関連コンテンツを、CM領域の音声と映像を一致させるための同期情報に同期させることで）、視聴者は、CMをスキップせずに正常に視聴した場合にのみ、関連コンテンツを再生することができる。
【０１２９】
また、例えば、視聴者が放送コンテンツを視聴中において、例えば、図９Ｂに示されるように、コンテンツＢおよび広告情報CMBからなる放送コンテンツのうち、コンテンツＢから特徴量を算出し、その特徴量に基づいて、格納アドレス情報を取得することが可能となる。また、格納アドレス情報に基づいて関連コンテンツをさらに取得することが可能となる。そして、視聴者は、CMを視聴することで、広告情報CMBから特徴量を算出し、その特徴量に基づいて、鍵情報を取得して関連コンテンツを復号することが可能となる。復号された関連コンテンツは、放送コンテンツ上に重畳表示させたり、あるいは、再生専用チャネルに切り替えて、そこの枠内で再生させるようにする。
【０１３０】
さらにまた、例えば、視聴者が放送コンテンツを視聴中において、例えば、図９Ｃに示されるように、コンテンツＣおよび広告情報CMCからなる放送コンテンツのうち、広告情報CMCから特徴量を算出し、その特徴量に基づいて、格納アドレス情報および鍵情報を取得することが可能となる。また、格納アドレス情報に基づいて関連コンテンツをさらに取得し、先に取得した鍵情報を用いて復号することが可能となる。すなわち、視聴者は、CMを視聴した場合にのみ、関連コンテンツを取得し、復号することができる。復号された関連コンテンツは、放送コンテンツ上に重畳表示させたり、あるいは、再生専用チャネルに切り替えて、そこの枠内で再生させるようにする。
【０１３１】
以上のように、コンテンツ提供装置１１は、CMを強制的に見せるのではなく、CMを見たくなるような放送コンテンツを提供することで、視聴者は、より質の高いサービスを受けるために（すなわち、関連コンテンツを取得してそれを再生するために）、CMをスキップしたり、あるいは、他チャンネルに切替えたりすることなく、自然とCMを視聴するようになる。
【０１３２】
また、以上においては、放送コンテンツをリアルタイムで視聴し、その放送コンテンツの特徴量を算出し、算出した特徴量に基づいて、関連コンテンツを取得するための格納アドレス情報および鍵情報を取得し、取得した格納アドレス情報に基づいて、関連コンテンツを新たに取得する場合の例について説明したが、本発明はこれに限られるものではなく、例えば、放送コンテンツを録画し、それを再生した場合にも、新たに関連コンテンツを取得することが可能である。
【０１３３】
次に、図１０のフローチャートを参照して、録画装置１５が実行する、コンテンツ録画処理について説明する。
【０１３４】
ステップＳ５１において、アンテナ８１は、上述した図６のステップＳ１１の処理により配信されてきた放送波（すなわち、放送コンテンツ）を受信する。ステップＳ５２において、チューナ８２は、ステップＳ５１の処理で受信された放送コンテンツをチューニングし、所定のチャンネルの受信波を選択する。ステップＳ５３において、復調部８３は、ステップＳ５２の処理で選択された所定のチャンネルの受信波を復調する。
【０１３５】
ステップＳ５４において、画像処理部９１は、ステップＳ５３の処理で復調されたデータに対し、所定の画像処理を施す。出力部９２は、画像処理が施されたデータから出力データを生成する。ステップＳ５５において、記録部９３は、ステップＳ５４の処理で生成された出力データに対して所定の圧縮処理を施す。ステップＳ５６において、記録部９３は、ステップＳ５５の処理で圧縮処理が施されたデータを録画データとしてHDD９４に保存（録画）させる。
【０１３６】
以上のコンテンツ録画処理により、録画装置１５は、受信した放送コンテンツ（CMを含む）をHDD９４に録画することができる。
【０１３７】
次に、図１１のフローチャートを参照して、録画装置１５が実行する、録画コンテンツの再生処理について説明する。
【０１３８】
ステップＳ６１において、再生部９５は、図示せぬ入力部を介してユーザより再生が指示されたか否かを判定し、再生が指示されるまで待機する。そして、再生が指示されたと判定された場合、ステップＳ６２に進み、再生部９５は、HDD９４に録画されているデータのうち、ユーザにより指示された所定のデータを読み出して再生する。ステップＳ６３において、再生部９５は、ステップＳ６２の処理で再生されたデータに対して所定の伸張処理を施す。
【０１３９】
ステップＳ６４において、特徴量演算部８５は、ステップＳ６３の処理で伸張処理が施された再生データから特徴量を算出する。ステップＳ６５において、関連コンテンツ情報取得部８６は、ステップＳ６４の処理で算出された特徴量に対応する関連コンテンツが既にHDD９４に保存されているか否かを判定し、算出された特徴量に対応する関連コンテンツが既にHDD９４に保存されていると判定した場合、ステップＳ６６に進み、さらに、保存されている関連コンテンツより、新しい関連コンテンツの取得が可能であるか否かを判定する。例えば、保存されている関連コンテンツが期限付きコンテンツである場合、その期限が切れていれば、新しい関連コンテンツの取得が可能であると判定される。
【０１４０】
ステップＳ６６において、新しい関連コンテンツの取得が可能であると判定された場合、または、ステップＳ６５において、算出された特徴量に対応する関連コンテンツがHDD９４に保存されていないと判定された場合、関連コンテンツ情報取得部８６は、ステップＳ６４の処理で算出された特徴量を認証処理部８７に供給し、配信装置１２との間で認証処理を行うように要求するとともに、認証された場合には、関連コンテンツを取得するための情報の配信を要求した後、ステップＳ６７に進む。
【０１４１】
ステップＳ６７において、認証処理部８７は、関連コンテンツ情報取得部８６からの要求に基づいて、ネットワーク１３を介して配信装置１２にアクセスし、配信装置１２との間で認証処理を行う。ステップＳ６８において、認証処理部８７は、配信装置１２との間で認証されたか否かを判定し、認証されたと判定した場合、ステップＳ６９に進み、関連コンテンツ情報取得部８６から供給された特徴量をネットワーク１３を介して配信装置１２に送信する。この特徴量を受信した配信装置１２は、上述した図８のステップＳ４４乃至Ｓ４６の処理により、データベース３６から、特徴量に関連付けられている格納アドレス情報および鍵情報を検索し、配信する。
【０１４２】
ステップＳ７０において、関連コンテンツ情報取得部８６は、ステップＳ６９の処理で配信した特徴量に基づいて、配信装置１２よりネットワーク１３を介して配信されてきた格納アドレス情報および鍵情報を取得する。ステップＳ７１において、関連コンテンツ取得部８８は、ステップＳ７０の処理で取得された格納アドレス情報に基づいて、認証処理部８７、およびネットワーク１３を介して配信装置１２に対し、関連コンテンツの配信を要求する。この要求を受信した配信装置１２は、上述した図８のステップＳ４８，Ｓ４９の処理により、記憶部３３から対応する関連コンテンツを検索し、配信する。
【０１４３】
ステップＳ７２において、関連コンテンツ取得部８８は、ステップＳ７１の処理による配信要求に応じて、配信装置１２よりネットワークネットワーク１３を介して配信されてきた関連コンテンツを取得する。復号部８９は、ステップＳ７０の処理で取得された鍵情報を用いて関連コンテンツを復号する。
【０１４４】
ステップＳ６６において、新しい関連コンテンツの取得が可能ではないと判定された場合、ステップＳ７３に進み、再生部９５は、HDD９４に保存されている関連コンテンツのうち、ステップＳ６４の処理で算出された特徴量に対応する関連コンテンツを読み出す。復号部８９は、取得済みの鍵情報を用いて、HDD９４から読み出された関連コンテンツを復号する。
【０１４５】
ステップＳ７２またはステップＳ７３の処理の後、ステップＳ７４において、合成部９６は、ステップＳ６３の処理で伸張された再生データ（放送コンテンツ）、および、ステップＳ７２またはステップＳ７３の処理で復号されたデータ（関連コンテンツ）を合成し、テレビジョン受像機１４のディスプレイやスピーカなどに出力する。ステップＳ７５において、記録部９３は、ステップＳ７２またはステップＳ７３の処理で復号されたデータ（関連コンテンツ）に対して、必要であれば所定の圧縮処理を施し、HDD９４に保存させる。ただし、ステップＳ７２の処理で復号されたデータは、HDD９４に保存されているデータより新しいものであるため、古いデータから新しいデータへの更新が行われる。
【０１４６】
ステップＳ６８において、配信装置１２との間で認証されなかったと判定された場合、ステップＳ７６に進み、合成部７３は、ステップＳ２４の処理で生成された出力データ（放送コンテンツ）をテレビジョン受像機１４のディスプレイやスピーカなどに出力する。すなわち、配信装置１２との間で認証されなかった場合（不正な視聴者である場合）、放送コンテンツに連動する関連コンテンツを取得することができないため、誰もが視聴可能な放送コンテンツのみが出力される。
【０１４７】
以上の録画コンテンツ再生処理により、録画装置１５は、録画した放送コンテンツ（CMを含む）を正常に再生した場合に特徴量を算出し、その特徴量に基づいて、関連コンテンツの格納アドレス情報および鍵情報を取得することができ、さらに格納アドレス情報に基づいて、放送コンテンツに連動する関連コンテンツを新たに取得することができる。
【０１４８】
以上においては、受信した放送コンテンツの特徴量を算出し、算出した特徴量に基づいて、関連コンテンツを取得するための格納アドレス情報および鍵情報を取得し、取得した格納アドレス情報に基づいて、関連コンテンツを新たに取得する場合の例について説明したが、本発明はこれに限られるものではなく、例えば、記録メディアに記録されているCM付きコンテンツを再生した場合にも、関連コンテンツを新たに取得することが可能である。
【０１４９】
次に、図１２のフローチャートを参照して、テレビジョン受像機１４が実行する、ドライブ６０に装着されたメディア６１に記録されているCM付きコンテンツの再生処理について説明する。
【０１５０】
ステップＳ８１において、画像処理部７１は、図示せぬ入力部を介してユーザより再生が指示されたか否かを判定し、再生が指示されるまで待機する。そして、再生が指示されたと判定された場合、ステップＳ８２に進み、画像処理部７１は、ドライブ６０に装着されたメディア６１に記録されているデータのうち、ユーザにより指示された所定のデータを読み出す。ステップＳ８３において、画像処理部７１は、ステップＳ８２の処理で読み出されたデータに対して所定の画像処理を施す。出力部７２は、画像処理が施されたデータから出力データを生成する。
【０１５１】
ステップＳ８４において、特徴量演算部５５は、ステップＳ８３の処理で生成された出力データから特徴量を算出する。ステップＳ８５において、関連コンテンツ情報取得部５６は、ステップＳ８４の処理で算出された特徴量を認証処理部５７に供給し、配信装置１２との間で認証処理を行うように要求するとともに、認証された場合には、関連コンテンツを取得するための情報の配信を要求する。認証処理部５７は、関連コンテンツ情報取得部５６からの要求に基づいて、ネットワーク１３を介して配信装置１２にアクセスし、配信装置１２との間で認証処理を行う。
【０１５２】
ステップＳ８６において、認証処理部５７は、配信装置１２との間で認証されたか否かを判定し、認証されたと判定した場合、ステップＳ８７に進み、関連コンテンツ情報取得部５６から供給された特徴量をネットワーク１３を介して配信装置１２に送信する。この特徴量を受信した配信装置１２は、上述した図８のステップＳ４４乃至Ｓ４６の処理により、データベース３６から、特徴量に関連付けられている格納アドレス情報および鍵情報を検索し、配信する。
【０１５３】
ステップＳ８８において、関連コンテンツ情報取得部５６は、ステップＳ８７の処理で配信した特徴量に基づいて、配信装置１２よりネットワーク１３を介して配信されてきた格納アドレス情報および鍵情報を取得する。ステップＳ８９において、関連コンテンツ取得部５８は、ステップＳ８８の処理で取得された格納アドレス情報に基づいて、認証処理部５７、およびネットワーク１３を介して配信装置１２に対し、関連コンテンツの配信を要求する。この要求を受信した配信装置１２は、上述した図８のステップＳ４８，Ｓ４９の処理により、記憶部３３から対応する関連コンテンツを検索し、配信する。
【０１５４】
ステップＳ９０において、関連コンテンツ取得部５８は、ステップＳ８９の処理による配信要求に応じて、配信装置１２よりネットワーク１３を介して配信されてきた関連コンテンツを取得する。復号部５９は、ステップＳ８８の処理で取得された鍵情報を用いて関連コンテンツを復号する。ステップＳ９１において、合成部７３は、ステップＳ８３の処理で生成された出力データ（放送コンテンツ）、および、ステップＳ９０の処理で復号されたデータ（関連コンテンツ）を合成し、ディスプレイやスピーカなどに出力する。
【０１５５】
ステップＳ８６において、配信装置１２との間で認証されなかったと判定された場合、ステップＳ９２に進み、合成部７３は、ステップＳ８３の処理で生成された出力データ（放送コンテンツ）をディスプレイやスピーカなどに出力する。すなわち、配信装置１２との間で認証されなかった場合（不正な視聴者である場合）、放送コンテンツに連動する関連コンテンツを取得することができないため、誰もが視聴可能な放送コンテンツのみが出力される。
【０１５６】
以上の記録メディア再生処理により、テレビジョン受像機１４は、メディア６１に記録されているCM付きコンテンツを正常に再生した場合に特徴量を算出し、その特徴量に基づいて、関連コンテンツの格納アドレス情報および鍵情報を取得することができ、さらに格納アドレス情報に基づいて、放送コンテンツに連動する関連コンテンツを新たに取得することができる。
【０１５７】
本発明によれば、配信装置１２は、コンテンツ領域およびCM領域から特徴量を算出し、算出された特徴量、関連コンテンツの格納アドレス情報、および鍵情報を関連付けてデータベース化することにより、特徴情報をキーワードとして関連コンテンツを検索するシステムを実現することができる。一方、視聴者は、より質の高いサービスを受けるために（関連コンテンツを取得するために）、CMをスキップしたり、あるいは、他チャンネルに切替えたりすることなく、自然とCMを視聴するようになる。
【０１５８】
また本発明によれば、コンテンツ提供装置１１は、適宜、関連コンテンツを再制作し、配信装置１２は、最新の関連コンテンツを格納するようにしてもよい。その場合の関連コンテンツ再格納処理について、図１３のフローチャートを参照して説明する。
【０１５９】
ステップＳ１０１において、コンテンツ提供装置１１のコンテンツ制作部２１は、既に制作されている（例えば、図６のステップＳ２の処理により既に制作されている）放送コンテンツが正常に視聴された場合に新たに提供するための、放送コンテンツに連動した関連コンテンツを再制作する。ステップＳ１０２において、配信装置１２の鍵情報生成部３１は、生成済みの（例えば、図６のステップＳ５の処理で生成された）鍵情報を検索する。ステップＳ１０３において、暗号化部３２は、ステップＳ１０１の処理で再制作された関連コンテンツを、ステップＳ１０２の処理で検索された鍵情報を用いて暗号化する。ステップＳ１０４において、暗号化部３２は、ステップＳ１０３の処理で暗号化された関連コンテンツを記憶部３３に格納させる。
【０１６０】
以上の関連コンテンツ再格納処理により、配信装置１２は、視聴者に対し、常に最新のコンテンツを提供することができる。そのため、視聴者にとっても、興味が薄れることなく、自然とCMを視聴するようになる。
【０１６１】
なお、以上においては、コンテンツ提供装置１１が放送コンテンツを配信し、配信装置１２が放送コンテンツに連動する関連コンテンツを配信するようにしたが、コンテンツ提供装置１１が、放送コンテンツおよび関連コンテンツの両方を配信するようにしても良い。
【０１６２】
上述した一連の処理は、ハードウエアにより実行させることもできるし、パーソナルコンピュータなどを利用したソフトウエアにより実行させることもできる。この場合、例えば、コンテンツ提供装置１１、配信装置１２、テレビジョン受像機１４、および録画装置１５には、図１４に示されるようなコンピュータ２００が含まれる。
【０１６３】
図１４において、CPU（Central Processing Unit）２０１は、ROM（Read Only Memory）２０２に記憶されているプログラム、または記憶部２０８からRAM（Random Access Memory）２０３にロードされたプログラムに従って各種の処理を実行する。RAM２０３にはまた、CPU２０１が各種の処理を実行する上において必要なデータなども適宜記憶される。
【０１６４】
CPU２０１、ROM２０２、およびRAM２０３は、バス２０４を介して相互に接続されている。このバス２０４にはまた、入出力インタフェース２０５も接続されている。
【０１６５】
入出力インタフェース２０５には、キーボード、マウスなどよりなる入力部２０６、CRT(Cathode Ray Tube)、LCD(Liquid Crystal display)などよりなるディスプレイ、並びにスピーカなどよりなる出力部２０７、ハードディスクなどより構成される記憶部２０８、モデムなどより構成される通信部２０９が接続されている。通信部２０９は、インターネットを含むネットワーク１３を介しての通信処理を行う。
【０１６６】
入出力インタフェース２０５にはまた、必要に応じてドライブ２１０が接続され、磁気ディスク、光ディスク、光磁気ディスク、あるいは半導体メモリなどのリムーバブルメディア２１１が適宜装着され、それらから読み出されたコンピュータプログラムが、必要に応じて記憶部２０８にインストールされる。
【０１６７】
上述した一連の処理をソフトウエアにより実行させる場合には、そのソフトウエアを構成するプログラムが、ネットワークや記録媒体からインストールされる。
【０１６８】
この記録媒体は、図１４に示されるように、装置本体とは別に、ユーザにプログラムを配信するために配布される、プログラムが記録されている磁気ディスク（フロッピディスク（登録商標）を含む）、光ディスク（CD-ROM(Compact Disk-Read Only Memory),DVD(Digital Versatile Disk)を含む）、光磁気ディスク（MD（Mini-Disk）（登録商標）を含む）、もしくは半導体メモリなどよりなるリムーバブルメディア２１１により構成されるだけでなく、装置本体に予め組み込まれた状態でユーザに配信される、プログラムが記録されているROM２０２や、記憶部２０８に含まれるハードディスクなどで構成される。
【０１６９】
なお、本明細書において、記録媒体に記憶されるプログラムを記述するステップは、含む順序に沿って時系列的に行われる処理はもちろん、必ずしも時系列的に処理されなくとも、並列的あるいは個別に実行される処理をも含むものである。
【０１７０】
また、本明細書において、システムとは、複数の装置により構成される装置全体を表わすものである。
【図面の簡単な説明】
【０１７１】
【図１】本発明を適用した配信システムの一実施の形態の構成例を示す図である。
【図２】配信システムの内部の構成例を示すブロック図である。
【図３】関連コンテンツの記憶例を示す図である。
【図４】特徴量の算出処理を説明する図である。
【図５】データベースに登録される情報の蓄積例を示す図である。
【図６】放送コンテンツ配信処理を説明するフローチャートである。
【図７】コンテンツ受信処理を説明するフローチャートである。
【図８】関連コンテンツ配信処理を説明するフローチャートである。
【図９】格納アドレス情報および鍵情報の取得処理を説明する図である。
【図１０】コンテンツ録画処理を説明するフローチャートである。
【図１１】録画コンテンツ再生処理を説明するフローチャートである。
【図１２】記録メディア再生処理を説明するフローチャートである。
【図１３】関連コンテンツ再格納処理を説明するフローチャートである。
【図１４】コンピュータの構成例を示すブロックである。
【符号の説明】
【０１７２】
１  配信システム，１１  コンテンツ提供装置，１２  配信装置，  １３  ネットワーク，  １４  テレビジョン受像機，  １５  録画装置，  １６  広告主，  ２１  コンテンツ制作部，  ２２  鍵情報生成部，  ２３  暗号化部，  ２４  格納アドレス取得部，  ２５  解読情報付加部，  ２６  記憶部，  ２７  制御部，  ２８  送信部，  ４１  記憶部，  ４２  制御部４２  送受信部，  ５１  アンテナ，  ５２  チューナ，  ５３  復調部，  ５４  使用部，  ５５  特徴量演算部，  ５６  関連コンテンツ情報取得部，  ５７  認証処理部，  ５８  関連コンテンツ取得部，  ５９  復号部，  ６０  ドライブ，  ６１  メディア，  ７１  画像処理部，  ７２  出力部，  ７３  合成部，  ８１  アンテナ，  ８２  チューナ，  ８３  復調部，  ８４  使用部，  ８５  特徴量演算部，  ８６  関連コンテンツ情報取得部，  ８７  認証処理部，  ８８  関連コンテンツ取得部，  ８９  復号部，  ９１  画像処理部，  ９２  出力部，  ９３  記録部，９４  HDD，  ９５  再生部，  ９６  合成部
【図１】
2006041573.tif 000003
【図２】
2006041573.tif 000004
【図３】
2006041573.tif 000005
【図４】
2006041573.tif 000006
【図５】
2006041573.tif 000007
【図６】
2006041573.tif 000008
【図７】
2006041573.tif 000009
【図８】
2006041573.tif 000010
【図９】
2006041573.tif 000011
【図１０】
2006041573.tif 000012
【図１１】
2006041573.tif 000013
【図１２】
2006041573.tif 000014
【図１３】
2006041573.tif 000015
【図１４】
2006041573.tif 000016